(57)【要約】  呼制御メッセージの欠落や、呼制御メッセージの追い越しが発生した場合でも、ネットワーク内のサーバ等の装置の負荷を増大させずにサービスを継続することができる通信端末装置。この装置では、ＶｏＩＰ呼制御部（１０３）は、無線ＬＡＮシステムによるＶｏＩＰ音声通話の呼の確立及び呼の切断の呼制御を行う。回線交換呼制御部（１０４）は、移動体通信（セルラ）システムによる回線交換音声通話の呼の確立及び呼の切断の呼制御を行う。ハンドオーバ部（１０５）は、無線ＬＡＮシステム及び移動体通信（セルラ）システムの受信品質を測定し、各々の測定結果に基づいて、無線ＬＡＮシステムと移動体通信（セルラ）システムとの間のハンドオーバを制御する。
2008029441.tif 000002
【特許請求の範囲】
【請求項１】
通信方式の異なるネットワーク毎に呼の確立及び呼の切断の呼制御を行う呼制御手段と、
前記通信方式の異なるネットワーク毎の受信品質を測定する受信品質測定手段と、
測定した前記受信品質に基づいて前記通信方式の異なるネットワーク間でハンドオーバする際に前記呼制御手段でハンドオーバ先との呼が確立していない場合には前記呼制御手段に対してハンドオーバ元との呼を切断させないようにして繰り返しハンドオーバを要求するハンドオーバ制御手段と、
を具備する通信端末装置。
【請求項２】
前記呼制御手段は、前記ハンドオーバ制御手段によるハンドオーバの要求に対するハンドオーバ元との呼の切断の要求を受けることによってハンドオーバ元との呼を切断し、
前記ハンドオーバ制御手段は、前記切断の要求を受けてからの所定時間である呼確立待ち時間内にハンドオーバ先との呼が確立しない場合に、ハンドオーバ元との呼を切断させないようにするとともに前記ハンドオーバを再び要求する請求項１記載の通信端末装置。
【請求項３】
前記ハンドオーバ制御手段は、ハンドオーバの要求が初回でないことを示す識別子を含むメッセージを送信することにより前記ハンドオーバを再び要求する請求項１記載の通信端末装置。
【請求項４】
前記ハンドオーバ制御手段は、複数の通信方式の異なるネットワークを用いて前記ハンドオーバを再び要求する請求項１記載の通信端末装置。
【請求項５】
前記ハンドオーバ制御手段は、前記ハンドオーバする際に前記呼制御手段でハンドオーバ先との呼が確立していない場合には前記呼制御手段に対してハンドオーバ元との呼を切断させないようにして前記ハンドオーバを中止する請求項１記載の通信端末装置。
【請求項６】
請求項２記載の通信端末装置と通信するサーバであって、
前記サーバは、
前記ハンドオーバの要求を受け付けるハンドオーバ要求受付手段と、
前記ハンドオーバ要求受付手段でハンドオーバの要求を受け付けた場合に前記通信端末装置に対して前記ハンドオーバ元との呼の切断を要求する呼切断要求手段と、
前記呼切断要求手段による前記ハンドオーバ元との呼の切断の要求に対して前記呼確立待ち時間よりも長い所定時間内に前記通信端末装置からの応答がない場合に前記通信端末装置との呼の切断の前記ハンドオーバ元への要求を中止するハンドオーバ要求中止手段と、
を具備するサーバ。
【請求項７】
通信方式の異なるネットワーク毎の受信品質に基づいて前記通信方式の異なるネットワーク間でハンドオーバするとともに、前記ハンドオーバする際にハンドオーバ先との呼が確立していない場合にはハンドオーバ元との呼を切断しないようにして繰り返しハンドオーバを要求する通信端末装置と、
前記通信端末装置からの前記ハンドオーバの要求を受けてハンドオーバ元との呼の切断を要求するとともにハンオドーバ先との呼の確立を要求するハンドオーバ管理サーバと、
を具備するネットワークシステム。
【請求項８】
通信方式の異なるネットワーク毎に呼の確立及び呼の切断の呼制御を行うステップと、
前記通信方式の異なるネットワーク毎の受信品質を測定するステップと、
測定した前記受信品質に基づいて前記通信方式の異なるネットワーク間でハンドオーバする際にハンドオーバ先との呼が確立していない場合にはハンドオーバ元との呼を切断せずに繰り返しハンドオーバを要求するステップと、
を具備するハンドオーバ方法。
【発明の詳細な説明】
【技術分野】
【０００１】
本発明は、通信端末装置、ネットワークシステム及びハンドオーバ方法に関し、特に異なる通信方式を持つネットワークに接続可能であるとともに異なる通信方式を持つネットワーク間でハンドオーバする通信端末装置、ネットワークシステム及びハンドオーバ方法に関する。
【背景技術】
【０００２】
現在、データの伝送レートは低いが広いエリアをカバーする移動体通信(セルラ)システムと、データ伝送レートは高いが狭いエリアをカバーする無線ＬＡＮシステムの両システム間を無線通信端末が自由にハンドオーバするようなシステムの開発が進められている。特に移動体通信の通信規格を策定する３ＧＰＰ（3rd Generation Partnership Project）においては、回線交換音声通話とＶｏＩＰ音声通話との間で継続して音声通話が可能なハンドオーバ方式の規格化が検討されている(3GPP draft TR (Technical Report) 23.806、TS (Technical Specification) 23.206)。また、回線交換音声通話とＶｏＩＰ音声通話との間でのハンドオーバ方式として特許文献１にて開示される技術が知られている。【０００３】
電話サービスを受けながら、回線交換音声通話が可能な回線交換ネットワークとＶｏＩＰ音声通話が可能なＩＰネットワークとの間でのハンドオーバを行うためには、特許文献１の図１２に示されているように、ハンドオーバ先のネットワークの呼を確立した後、ハンドオーバ元のネットワークの呼を切断するという手順が用いられる。特許文献１においては、通話している端末同士が呼制御を行っているが、３ＧＰＰ  ＴＲ  ２３．８０６で検討されているように、ネットワーク内の１つ、あるいは複数のサーバが呼を中継し、呼制御メッセージの変換とともに回線交換の音声メディアとＶｏＩＰ用の音声メディアのメディア変換をすることによって、通話相手が対応している呼制御方式によらずにハンドオーバすることも考えられる。
【特許文献１】特開２００４−２９７５９１号公報
【発明の開示】
【発明が解決しようとする課題】
【０００４】
しかしながら、従来の３ＧＰＰ  ＴＲ  ２３．８０６で検討されているシステムの場合、ネットワークの構成は複雑になり、特許文献１の図１２に示されるようなハンドオーバ先のネットワークの呼を確立した後、ハンドオーバ元のネットワークの呼を切断するという手順をシーケンシャルに実行することができない場合がある。その場合、呼制御メッセージの欠落や回線交換ネットワークとＶｏＩＰに使用するＩＰネットワークの伝送遅延時間の差によって、音声通話が不通となったり、音声の途切れの時間が増大する。【０００５】
例えば、ハンドオーバ先のネットワークの呼制御メッセージが欠落して、ハンドオーバ先のネットワークの呼が確立されない状態で、ハンドオーバ元の呼の切断が行われると、音声通話が不通になるという問題がある。また、ネットワークの伝送遅延によって、ハンドオーバ先のネットワークの呼制御メッセージが確立する前に、ハンドオーバ元の呼の切断が行われると、ハンドオーバに要する時間が大きくなり、音声が途切れる時間が増大するという問題がある。【０００６】
図１〜図３は、３ＧＰＰで検討されている回線交換音声通話とＶｏＩＰ音声通話との間で継続して音声通話が可能なハンドオーバ方式を示すシーケンス図である。【０００７】
図１は、ハンドオーバが正常に実行できる場合を示すシーケンス図であり、ＶｏＩＰによる音声通話をしている状態において、回線交換による音声通話に切替える場合である。図１において、無線通信端末はハンドオーバを要求するメッセージであるＳｅｔｕｐを送信し（ステップＳＴ１１、ステップＳＴ１２、ステップＳＴ１３、ステップＳＴ１４）、ハンドオーバの要求を受け取ったハンドオーバ管理サーバはハンドオーバ先との呼を確立するためのメッセージを送信する（ステップＳＴ１５、ステップＳＴ１６、ステップＳＴ１７、ステップＳＴ１８）。そして、ハンドオーバ先との呼を確立するためのメッセージであるＣｏｎｎｅｃｔを受信した無線通信端末は、Ｃｏｎｎｅｃｔの応答のメッセージであるＣｏｎｎｅｃｔ  Ａｃｋを送信する（ステップＳＴ１９）。そして、ハンドオーバ管理サーバは、呼制御変換サーバからハンドオーバ先との呼を確立するためのメッセージに対する応答を受信し（ステップＳＴ２０、ステップＳＴ２１）、ハンドオーバ元との呼の切断を要求するメッセージであるＢＹＥを送信する（ステップＳＴ２２、ステップＳＴ２３）。そして、ＢＹＥを受信した無線通信端末は、ＢＹＥに対する応答である２００  ＯＫを送信する（ステップＳＴ２４、ステップＳＴ２５）。ここで、ステップＳＴ１１〜ステップＳＴ１９までは、ハンドオーバ先である回線交換による呼の確立のシーケンスであり、ステップＳＴ２２〜ステップＳＴ２５は、ハンドオーバ元であるＶｏＩＰの呼の切断のシーケンスである。なお、図１においては、本発明に関連する装置とメッセージのみ記述している。【０００８】
図２は、回線交換の呼制御用のメッセージであるＣｏｎｎｅｃｔが無線上で欠落した場合を示すシーケンス図である。呼制御変換サーバは、ＳＩＰ（Session Initial Protocol）サーバから送信された２００  ＯＫを受信した後（ステップＳＴ１６）、移動体通信回線交換ネットワーク内の回線交換サーバにＡＮＭ（Answer Message）を送信すると同時に（ステップＳＴ１７）、ＳＩＰサーバにＡＣＫを送信するため（ステップＳＴ２０、ステップＳＴ２１）、ハンドオーバ管理サーバは、Ｃｏｎｎｅｃｔの送信成功または送信失敗に関わらずＳＩＰのＢＹＥを送信してしまう（ステップＳＴ２２、ステップＳＴ２３）。ＢＹＥとＢＹＥの応答である２００  ＯＫとの送受信によって、ＶｏＩＰ音声通話は切断される。無線状況の悪化等により無線通信端末がＣｏｎｎｅｃｔを受信できない場合、または回線交換サーバと無線通信端末の間でＣｏｎｎｅｃｔの再送は行われるが再送にも失敗した場合、回線交換による呼が確立していない状態でＶｏＩＰの呼も切断されてしまうために通話できなくなってしまう。【０００９】
図３は、無線通信端末が呼制御用のメッセージであるＢＹＥを受信した後に呼制御用のメッセージであるＣｏｎｎｅｃｔを受信する場合（追い越し）について示すシーケンス図である。Ｃｏｎｎｅｃｔは、回線交換ネットワークでの伝送遅延または無線環境の悪化によるＣｏｎｎｅｃｔの再送動作により、ＩＰネットワークを経由するＢＹＥより後に（ステップＳＴ２２、ステップＳＴ２３）、無線通信端末に到着する可能性がある（ステップＳＴ５０、ステップＳＴ５１）。この場合、ＶｏＩＰ音声通話を切断した後に回線交換音声通話が開始されるので、音声が途切れる時間が増大することになる。【００１０】
３ＧＰＰ  ＴＲ  ２３．８０６及び特許文献１において、呼制御メッセージの欠落や、呼制御メッセージの追い越しが発生した場合の動作は明らかにされていない。また、異種ネットワークの呼制御が行われるために、ハンドシェイク型の通信ができない場合があり、メッセージの欠落等があった場合は、上記の問題が生じる。この場合、ネットワーク内のサーバ等の装置で対応することも可能であるが、既存のシステム及びプロトコルの改造が大きくなる恐れがあり、コストアップになるという問題がある。【００１１】
本発明はかかる点に鑑みてなされたものであり、呼制御メッセージの欠落や、呼制御メッセージの追い越しが発生した場合でも、ネットワーク内のサーバ等の装置の負荷を増大させずにサービスを継続することができる通信端末装置、ネットワークシステム及びハンドオーバ方法を提供することを目的とする。
【課題を解決するための手段】
【００１２】
本発明の通信端末装置は、通信方式の異なるネットワーク毎に呼の確立及び呼の切断の呼制御を行う呼制御手段と、前記通信方式の異なるネットワーク毎の受信品質を測定する受信品質測定手段と、測定した前記受信品質に基づいて前記通信方式の異なるネットワーク間でハンドオーバする際に前記呼制御手段でハンドオーバ先との呼が確立していない場合には前記呼制御手段に対してハンドオーバ元との呼を切断させないようにして繰り返しハンドオーバを要求するハンドオーバ制御手段と、を具備する構成を採る。【００１３】
本発明のネットワークシステムは、通信方式の異なるネットワーク毎の受信品質に基づいて前記通信方式の異なるネットワーク間でハンドオーバするとともに、前記ハンドオーバする際にハンドオーバ先との呼が確立していない場合にはハンドオーバ元との呼を切断しないようにして繰り返しハンドオーバを要求する通信端末装置と、前記通信端末装置からの前記ハンドオーバの要求を受けてハンドオーバ元との呼の切断を要求するとともにハンオドーバ先との呼の確立を要求するハンドオーバ管理サーバと、を具備する構成を採る。【００１４】
本発明のハンドオーバ方法は、通信方式の異なるネットワーク毎に呼の確立及び呼の切断の呼制御を行うステップと、前記通信方式の異なるネットワーク毎の受信品質を測定するステップと、測定した前記受信品質に基づいて前記通信方式の異なるネットワーク間でハンドオーバする際にハンドオーバ先との呼が確立していない場合にはハンドオーバ元との呼を切断せずに繰り返しハンドオーバを要求するステップと、を具備するようにした。
【発明の効果】
【００１５】
本発明によれば、呼制御メッセージの欠落や、呼制御メッセージの追い越しが発生した場合でも、ネットワーク内のサーバ等の装置の負荷を増大させずにサービスを継続することができる。
【図面の簡単な説明】
【００１６】
【図１】従来のハンドオーバ方式を示すシーケンス図
【図２】従来のハンドオーバ方式を示すシーケンス図
【図３】従来のハンドオーバ方式を示すシーケンス図
【図４】本発明の実施の形態１に係る通信端末装置の構成を示すブロック図
【図５】本発明の実施の形態１に係るハンドオーバ管理サーバの構成を示すブロック図
【図６】本発明の実施の形態１に係るハンドオーバ部の構成を示すブロック図
【図７】本発明の実施の形態１に係るネットワークの構成を示す図
【図８】本発明の実施の形態１に係るハンドオーバ方法を示すシーケンス図
【図９】本発明の実施の形態２に係るハンドオーバ方法を示すシーケンス図
【図１０】本発明の実施の形態３に係るハンドオーバ方法を示すシーケンス図
【図１１】本発明の実施の形態３に係るハンドオーバ方法を示すシーケンス図
【図１２】本発明の実施の形態４に係るハンドオーバ方法を示すシーケンス図
【発明を実施するための最良の形態】
【００１７】
以下、本発明の実施の形態について、図面を参照して詳細に説明する。【００１８】
（実施の形態１）
図４は、本発明の実施の形態１に係る通信端末装置１００の構成を示すブロック図である。図４において、無線ＬＡＮ  ＩＦ１０１と、回線交換ＩＦ１０２と、ＶｏＩＰ呼制御部１０３と、回線交換呼制御部１０４と、ハンドオーバ部１０５と、入出力部１０６とは、バス１０７によって互いに接続されている。【００１９】
無線ＬＡＮ  ＩＦ１０１は、無線ＬＡＮシステムによるＶｏＩＰ音声通話の信号を受信して、受信した信号をバス１０７を介してＶｏＩＰ呼制御部１０３とハンドオーバ部１０５と入出力部１０６へ出力する。また、無線ＬＡＮ  ＩＦ１０１は、バス１０７を介してＶｏＩＰ呼制御部１０３とハンドオーバ部１０５と入出力部１０６から入力した無線ＬＡＮシステムによるＶｏＩＰ音声通話の信号を送信する。また、無線ＬＡＮ  ＩＦ１０１は、ＶｏＩＰ呼制御部１０３から入力した呼の確立のためのメッセージを送信するとともに、受信した呼の切断のためのメッセージをＶｏＩＰ呼制御部１０３へ出力する。また、無線ＬＡＮ  ＩＦ１０１は、ハンドオーバ部１０５から入力したハンドオーバを要求するメッセージを送信する。【００２０】
回線交換ＩＦ１０２は、移動体通信（セルラ）システムによる回線交換音声通話の信号を受信して、受信した信号をバス１０７を介して回線交換呼制御部１０４とハンドオーバ部１０５と入出力部１０６へ出力する。また、回線交換ＩＦ１０２は、バス１０７を介して回線交換呼制御部１０４とハンドオーバ部１０５と入出力部１０６から入力した移動体通信（セルラ）システムによる回線交換音声通話の信号を送信する。また、回線交換ＩＦ１０２は、回線交換呼制御部１０４から入力した呼の確立のためのメッセージを送信するとともに、受信した呼の切断のためのメッセージを回線交換呼制御部１０４へ出力する。また、回線交換ＩＦ１０２は、ハンドオーバ部１０５から入力したハンドオーバを要求するメッセージを送信する。ここで、無線ＬＡＮシステムによるＶｏＩＰ音声通話と移動体通信（セルラ）システムによる回線交換音声通話は、通信方式の異なるネットワークである。【００２１】
呼制御手段であるＶｏＩＰ呼制御部１０３は、呼の確立及び呼の切断に関するメッセージをバス１０７を介して無線ＬＡＮ  ＩＦ１０１へ出力するとともに、呼の確立及び呼の切断に関するメッセージがバス１０７を介して無線ＬＡＮ  ＩＦ１０１から入力することにより、無線ＬＡＮシステムによるＶｏＩＰ音声通話の呼の確立及び呼の切断の呼制御を行う。また、ＶｏＩＰ呼制御部１０３は、ハンドオーバ部１０５から呼切断の要求を無効にするように指示された場合に、無線ＬＡＮ  ＩＦ１０１から入力した呼の切断を要求するメッセージを無効にして呼を切断しないようにする。【００２２】
呼制御手段である回線交換呼制御部１０４は、呼の確立及び呼の切断に関するメッセージをバス１０７を介して回線交換ＩＦ１０２へ出力するとともに、呼の確立及び呼の切断に関するメッセージがバス１０７を介して回線交換ＩＦ１０２から入力することにより、移動体通信（セルラ）システムによる回線交換音声通話の呼の確立及び呼の切断の呼制御を行う。また、回線交換呼制御部１０４は、ハンドオーバ部１０５から呼切断の要求を無効にするように指示された場合に、回線交換ＩＦ１０２から入力した呼の切断を要求するメッセージを無効にして呼を切断しないようにする。【００２３】
ハンドオーバ部１０５は、ＶｏＩＰ制御部１０３が行う呼制御の状態と呼制御によって確立された呼の状態と呼制御によって切断された呼の状態を監視するとともに、回線交換呼制御部１０４が行う呼制御の状態と呼制御によって確立された呼の状態と呼制御によって切断された呼の状態を監視する。また、ハンドオーバ部１０５は、無線ＬＡＮ  ＩＦ１０１から入力した信号より無線ＬＡＮシステムの受信品質を測定するとともに、回線交換ＩＦ１０２から入力した信号より移動体通信（セルラ）システムの受信品質を測定し、各々の測定結果に基づいて、無線ＬＡＮシステムと移動体通信（セルラ）システムとの間のハンドオーバを制御する。また、ハンドオーバ部１０５は、ハンドオーバの制御に伴うハンドオーバの要求の後、ＶｏＩＰ呼制御部１０３または回線交換呼制御部１０４がハンドオーバ元との呼の切断を要求するメッセージを受け取った場合に、ハンドオーバ先との呼が確立されていなければ、ハンドオーバ元との呼の切断の要求を受けたＶｏＩＰ呼制御部１０３または回線交換呼制御部１０４に対して、ハンドオーバ元との呼の切断の要求を無効にするように指示する。なお、ハンドオーバ部１０５の詳細な構成については後述する。【００２４】
入出力部１０６は、ハンドオーバ部１０５によって選択された呼を確立することにより無線ＬＡＮ  ＩＦ１０１または回線交換ＩＦ１０２で受信されてバス１０７を介して入力した各種サービスを、マイク、レシーバ、スピーカ、ディスプレイ等の入出力装置を通じてユーザに提供する。【００２５】
次に、ハンドオーバ管理サーバ２００の構成について、図５を用いて説明する。図５は、ハンドオーバ管理サーバ２００の構成を示すブロック図である。【００２６】
通信ＩＦ２０１と、ハンドオーバ元呼制御部２０２と、ハンドオーバ先呼制御部２０３と、ハンドオーバ統合管理部２０４とは、バス２０５によって互いに接続されている。【００２７】
通信ＩＦ２０１は、無線ＬＡＮシステムによるＶｏＩＰ音声通話の信号及び移動体通信（セルラ）システムによる回線交換音声通話の信号を受信して、受信した信号をバス２０５を介してハンドオーバ元呼制御部２０２とハンドオーバ先呼制御部２０３とハンドオーバ統合管理部２０４とに出力する。また、通信ＩＦ２０１は、バス２０５を介してハンドオーバ元呼制御部２０２とハンドオーバ先呼制御部２０３とハンドオーバ統合管理部２０４から入力した信号を送信する。また、通信ＩＦ２０１は、受信したハンドオーバを要求するメッセージをハンドオーバ統合管理部２０４へ出力し、ハンドオーバ元呼制御部２０２から入力したハンドオーバ元との呼の切断を要求するメッセージ及びハンドオーバ先呼制御部２０３から入力したハンドオーバ先との呼の確立を要求するメッセージを送信する。【００２８】
ハンドオーバ元呼制御部２０２は、ハンドオーバ元の呼の呼制御を行う。具体的には、ハンドオーバ元呼制御部２０２は、ハンドオーバ統合管理部２０４の指示に従って、ハンドオーバ元の呼の切断を要求するメッセージを通信ＩＦ２０１へ出力する。【００２９】
ハンドオーバ先呼制御部２０３は、ハンドオーバ先の呼の呼制御を行う。具体的には、ハンドオーバ先呼制御部２０３は、ハンドオーバ統合管理部２０４の指示に従って、ハンドオーバ先の呼の確立を要求するメッセージを通信ＩＦ２０１へ出力する。【００３０】
ハンドオーバ統合管理部２０４は、ハンドオーバ元呼制御部２０２が行う呼制御の状態と、ハンドオーバ先呼制御部２０３が行う呼制御の状態をそれぞれ監視して、ハンドオーバを制御する。具体的には、ハンドオーバ統合管理部２０４は、通信ＩＦ２０１からハンドオーバを要求するメッセージが入力した場合に、ハンドオーバ元呼制御部２０２に対してハンドオーバ元の呼の切断を要求するメッセージを出力するように指示し、ハンドオーバ先呼制御部２０３に対してハンドオーバ先の呼の確立を要求するメッセージを出力するように指示する。【００３１】
次に、通信端末装置１００のハンドオーバ部１０５の構成の詳細について、図６を用いて説明する。図６は、ハンドオーバ部１０５の構成を示すブロック図である。【００３２】
呼監視部３０１は、ＶｏＩＰ呼制御部１０３及び回線交換呼制御部１０４における呼の切断または呼の確立を監視する。また、呼監視部３０１は、ＶｏＩＰ呼制御部１０３及び回線交換呼制御部１０４に呼の切断を要求するメッセージが入力したか否かを監視する。そして、呼監視部３０１は、各々の監視結果をハンドオーバ制御部３０３へ出力する。【００３３】
受信品質測定部３０２は、無線ＬＡＮシステムによるＶｏＩＰ音声通話の信号及び移動体通信（セルラ）システムによる回線交換音声通話の信号の受信品質を測定する。そして、受信品質測定部３０２は、各々の測定結果をハンドオーバ制御部３０３へ出力する。【００３４】
ハンドオーバ制御部３０３は、受信品質測定部３０２から入力した受信品質の測定結果に基づいて、無線ＬＡＮシステムと移動体通信（セルラ）システムとの間でハンドオーバするか否かを判断する。そして、ハンドオーバ制御部３０３は、ハンドオーバすると判断した際に、ハンドオーバを要求するメッセージを作成して、作成したメッセージを無線ＬＡＮ  ＩＦ１０１または回線交換ＩＦ１０２へ出力する。また、ハンドオーバ制御部３０３は、ハンドオーバすると判断した際に、呼監視部３０１から入力した監視結果を参照して、ＶｏＩＰ呼制御部１０３または回線交換呼制御部１０４において、ハンドオーバ元との呼の切断を要求するメッセージを受け取っている場合で、且つハンドオーバ先との呼が確立されていない場合に、ＶｏＩＰ呼制御部１０３または回線交換呼制御部１０４に対して、受け取った呼の切断を要求するメッセージを無効にするように指示する。【００３５】
図７は、本実施の形態１に係るネットワーク４００の構成を示す図である。【００３６】
ネットワーク４００は、通信端末装置４０１と、ＩＰネットワーク４０２と、回線交換ネットワーク４０３と、結合ネットワーク４０４と、ネットワーク４０５と、通話相手４０６とから構成される。また、ＩＰネットワーク４０２は、無線ＬＡＮアクセスポイント４０７及びＳＩＰサーバ４０８を含む。また、回線交換ネットワーク４０３は、基地局４０９及び回線交換サーバ４１０を含む。また、結合ネットワーク４０４は、ハンドオーバ管理サーバ４１１と、呼制御変換サーバ４１２と、メディアゲートウェイ４１３を含む。【００３７】
通信端末装置４０１は、図４及び図６に示す通信端末装置１００と同一構成を有し、回線交換音声通話とＶｏＩＰ音声通話が可能である。【００３８】
通話相手４０６は、ネットワーク４０５を介して通信端末装置４０１と音声通話を行う通信装置である。なお、通話相手４０６が音声通話を行う通信方式は特に限定されない。【００３９】
無線ＬＡＮアクセスポイント４０７は、通信端末装置４０１がＩＰネットワークに接続するために設けられるものであり、ＩＥＥＥ  ８０２．１１ａ、ｂ、ｇ等に準拠するものである。【００４０】
ＳＩＰサーバ４０８は、ＶｏＩＰ用の呼制御(ここではＳＩＰ)を行うサーバである。【００４１】
基地局４０９は、通信端末装置４０１が回線交換ネットワークに接続するために設けられるものである。【００４２】
回線交換サーバ４１０は、回線交換ネットワーク内の回線交換による呼制御を行うサーバである。【００４３】
ハンドオーバ管理サーバ４１１は、図５に示すハンドオーバ管理サーバ２００と同一構成を有し、ハンドオーバの呼制御を管理するサーバである。また、ハンドオーバ管理サーバ４１１は、回線交換用、ＶｏＩＰ用の呼制御メッセージを一元的に管理する。本実施の形態１においては、ハンドオーバ管理サーバ４１１は、回線交換用の呼制御メッセージをＶｏＩＰ用の呼制御（ＳＩＰ）メッセージに変換して処理している。【００４４】
呼制御変換サーバ４１２は、回線交換用の呼制御メッセージとＶｏＩＰ用の呼制御メッセージを変換するサーバである。【００４５】
メディアゲートウェイ４１３は、通話相手４０６との呼(音声メディア)を中継し、通信端末装置４０１が送信する回線交換あるいはＶｏＩＰの音声メディアを通話相手４０６が受信できる音声メディアに変換するゲートウェイである。また、メディアゲートウェイ４１３は、通話相手４０６が送信する音声メディアを回線交換の音声メディアあるいはＶｏＩＰの音声メディアに変換するゲートウェイである。【００４６】
次に、ネットワーク４００におけるハンドオーバ方法について、図８を用いて説明する。図８は、ハンドオーバ方法を示すシーケンス図である。【００４７】
図８において、通信端末装置４０１は、ＩＰネットワーク経由でＳＩＰにより、ＶｏＩＰ音声通話用の呼を確立して、ＶｏＩＰ音声通話を行っているものとし、また回線交換音声通話とＶｏＩＰ音声通話のサービスを継続して受けるための登録を終えているものとする。さらに、音声メディアはメディアゲートウェイによって中継／フォーマット変換されており、ハンドオーバが発生した場合でも、呼制御はハンドオーバする通信端末装置４０１とネットワーク内の装置との間で行われるものとする。【００４８】
通信端末装置４０１のハンドオーバ部１０５は、通信端末装置４０１と無線ＬＡＮアクセスポイント４０７との間の通信状態の悪化、及び通信端末装置４０１と基地局４０９との間の通信状態の良化等の理由により、ＩＰネットワーク４０２経由でのＶｏＩＰ音声通話から回線交換ネットワーク４０３経由での回線交換音声通話にハンドオーバすることを決定する。具体的には、ハンドオーバ部１０５の受信品質測定部３０２は、無線ＬＡＮシステムによるＶｏＩＰ音声通話の信号及び移動体通信（セルラ）システムによる回線交換音声通話の信号の受信品質を測定する。そして、ハンドオーバ部１０５のハンドオーバ制御部３０３は、受信品質の測定結果より、通信端末装置４０１と無線ＬＡＮアクセスポイント４０７との間の通信状態の悪化、及び通信端末装置４０１と基地局４０９との間の通信状態の良化を認識することができる。ハンドオーバ部１０５のハンドオーバ制御部３０３は、例えば無線ＬＡＮシステムによるＶｏＩＰ音声通話の信号の受信品質がしきい値未満になるとともに、移動体通信（セルラ）システムによる回線交換音声通話の信号の受信品質がしきい値以上になった場合に、ＩＰネットワーク４０２経由でのＶｏＩＰ音声通話から回線交換ネットワーク４０３経由での回線交換音声通話にハンドオーバすることを決定する。【００４９】
次に、ハンドオーバ部１０５のハンドオーバ制御部３０３は、回線交換ＩＦ１０２を介して、回線交換の発信処理開始用のメッセージであるとともにハンドオーバを要求するメッセージであるＳｅｔｕｐを送信する（ステップＳＴ５０１）。【００５０】
次に、回線交換サーバ４１０は、基地局４０９を介してＳｅｔｕｐを受信し、通信端末装置４０１からのハンドオーバの指示であることを認識し、ハンドオーバ管理サーバ４１１に対して、ハンドオーバの指示メッセージであるＩＡＭを送信する（ステップＳＴ５０２）。この際、回線交換の発信処理開始用のメッセージであるＳｅｔｕｐは、他の呼制御メッセージに変換された上で転送される。【００５１】
次に、呼制御変換サーバ４１２は、ハンドオーバの指示メッセージであるＩＡＭをＩＮＶＩＴＥに変換してハンドオーバ管理サーバ４１１へ送信する（ステップＳＴ５０３）。【００５２】
次に、ハンドオーバ管理サーバ４１１は、ハンドオーバの指示メッセージであるＩＮＶＩＴＥを受信し、ハンオドーバ管理サーバ４１１のハンドオーバ統合管理部２０４は、ハンドオーバ先呼制御部２０３に対して、ハンドオーバ先のネットワークである回線交換の呼の確立を行うように指示する。そして、ハンドオーバ先呼制御部２０３は、通信ＩＦ２０１を介して、ハンドオーバ先のネットワークである回線交換の呼の確立を行うための接続通知用のメッセージである２００  ＯＫを送信する（ステップＳＴ５０４）。【００５３】
次に、呼制御変換サーバ４１２は、回線交換の呼の確立を行うための接続通知用のメッセージである２００  ＯＫをＡＮＭに変換して回線交換サーバ４１０へ送信する（ステップＳＴ５０５）。【００５４】
次に、回線交換サーバ４１０は、ＡＮＭを受信し、基地局４０９を介して、ハンドオーバ先のネットワークである回線交換の呼の確立を行うための接続通知用のメッセージであるＣｏｎｎｅｃｔを送信する。しかし、通信端末装置４０１は、基地局４０９と通信端末装置４０１との間の通信状態の悪化等の理由により、Ｃｏｎｎｅｃｔを受信することができない（ステップＳＴ５０６）。【００５５】
また、通信端末装置４０１が回線交換の接続通知用のメッセージであるＣｏｎｎｅｃｔを受信できない場合でも、ネットワーク内の呼制御変換サーバ４１２は、接続通知用のメッセージである２００  ＯＫに対する確認応答メッセージであるＡＣＫを送信する（ステップＳＴ５０７）。【００５６】
次に、ハンドオーバ管理サーバ４１１は、確認応答メッセージであるＡＣＫを受信し、ハンドオーバ管理サーバ４１１のハンドオーバ統合管理部２０４は、ハンドオーバ元呼制御部２０２に対して、既に確立しているハンドオーバ元であるＶｏＩＰ音声通話用の呼を切断するように指示する。そして、ハンドオーバ管理サーバ４１１のハンドオーバ元呼制御部２０２は、既に確立しているハンドオーバ元であるＶｏＩＰ音声通話用の呼を切断するために、通信ＩＦ２０１を介して、ＶｏＩＰ音声通話を切断するための切断要求メッセージであるＢＹＥを送信する（ステップＳＴ５０８）。【００５７】
次に、切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。【００５８】
次に、無線ＬＡＮによる通信が正常に行われ、ハンドオーバ部１０５の呼監視部３０１は、ＶｏＩＰ呼制御部１０３がＢＹＥを受け取ったことを知る。【００５９】
次に、呼監視部３０１は、回線交換呼制御部１０４がＣｏｎｎｅｃｔを受け取っていないために回線交換音声通話の呼が確立されていないことを知る。【００６０】
次に、ハンドオーバ制御部３０３は、ＶｏＩＰ呼制御部１０３に対して、受信したＢＹＥを無効にすることを指示するとともに、再びハンドオーバを要求するメッセージを作成する。この際、ハンドオーバ制御部３０３は、初回に作成したハンドオーバを要求するメッセージと同一のメッセージを作成する方法、ハンドオーバの要求が初回でないことを示す識別子を含むメッセージを作成する方法、またはＳｅｔｕｐに代わる再度のハンドオーバを要求する特定のメッセージを作成する方法のいずれかの方法を用いることができる。【００６１】
次に、通信端末装置４０１の回線交換ＩＦ１０２は、ハンドオーバ制御部３０３が作成した再度のハンドオーバを要求するメッセージを送信する（ステップＳＴ５１０）。【００６２】
次に、ハンドオーバ管理サーバ４１１のハンドオーバ統合管理部２０４は、ハンドオーバ元呼制御部２０２がＢＹＢを送信したことを知る。そして、ハンドオーバ統合管理部２０４は、ハンドオーバ元呼制御部２０２がハンドオーバ元の呼を確立している状態において、ハンドオーバの指示メッセージを受け取ると、ハンドオーバ先呼制御部２０３に対して、接続通知用のメッセージである２００  ＯＫの送信を指示し、ハンドオーバ先呼制御部２０３は、通信ＩＦ２０１を介して、接続通知用のメッセージである２００  ＯＫを送信する（ステップＳＴ５１１）。【００６３】
次に、呼制御変換サーバ４１２は、回線交換の呼の確立を行うための接続通知用のメッセージである２００  ＯＫをＡＮＭに変換して回線交換サーバ４１０へ送信する（ステップＳＴ５１２）。【００６４】
次に、回線交換サーバ４１０は、ＡＮＭを受信し、基地局４０９を介して、ハンドオーバ先のネットワークである回線交換の呼の確立を行うための接続通知用のメッセージであるＣｏｎｎｅｃｔを送信する（ステップＳＴ５１３）。【００６５】
次に、ネットワーク内の呼制御変換サーバ４１２は、接続通知用のメッセージである２００  ＯＫに対する確認応答メッセージであるＡＣＫを送信する（ステップＳＴ５１４）。【００６６】
次に、Ｃｏｎｎｅｃｔを受信した通信端末装置４０１は、Ｃｏｎｎｅｃｔに対する確認応答メッセージであるＣｏｎｎｅｃｔ  Ａｃｋを送信する（ステップＳＴ５１５）。【００６７】
次に、ハンドオーバ管理サーバ４１１のハンドオーバ統合管理部２０４は、ハンドオーバ元呼制御部２０２に対して、切断要求メッセージであるＢＹＥの送信を指示し、ハンドオーバ元呼制御部２０２は、切断要求メッセージであるＢＹＥを送信する（ステップＳＴ５１６）。【００６８】
次に、切断要求メッセージであるＢＹＥを受信したＳＩＰサーバ４０８は、無線ＬＡＮアクセスポイント４０７を介して、切断要求メッセージであるＢＹＥを送信する（ステップＳＴ５１７）。【００６９】
次に、無線ＬＡＮによる通信が正常に行われ、ハンドオーバ部１０５の呼監視部３０１は、ＶｏＩＰ呼制御部１０３がＢＹＥを受け取ったことを知る。【００７０】
次に、呼監視部３０１は、回線交換呼制御部１０４がＣｏｎｎｅｃｔを受信することにより回線交換音声通話の呼が確立されたことを知る。【００７１】
次に、通信端末装置４０１は、切断要求メッセージであるＢＹＥに対する確認応答メッセージである２００  ＯＫを送信する（ステップＳＴ５１８）。【００７２】
次に、ＳＩＰサーバ４０８は、２００  ＯＫを受信し、受信した２００  ＯＫをハンドオーバ管理サーバ４１１へ送信する（ステップＳＴ５１９）。【００７３】
ハンドオーバ管理サーバ４１１は、２００  ＯＫを受信することにより、通信端末装置４０１がハンドオーバに成功したことを知ることができる。【００７４】
なお、通信端末装置４０１のハンドオーバ部１０５が行う音声メディアの切り替えは、ネットワークと連動する必要はあるが、ステップＳＴ５１３でＣｏｎｎｅｃｔを受信した後、即ちハンドオーバ先の呼が確立した後、ステップＳＴ５１８で２００  ＯＫを送信するまで、即ちハンドオーバ元の呼を切断するまでに行えばよい。【００７５】
このように、本実施の形態１によれば、ハンドオーバ元との呼の切断の要求を受けた場合で且つハンドオーバ先との呼が確立していない場合に、ハンドオーバ元との呼の切断の要求を無効にするとともに、再度ハンドオーバすることを要求するので、呼制御メッセージの欠落や、呼制御メッセージの追い越しが発生した場合でも、回線交換ネットワークの呼とＩＰネットワークの呼とが同時に切断されてしまうことを防止することができ、ネットワーク内のサーバ等の装置の負荷を増大させずにサービスを継続することができる。また、本実施の形態１によれば、無線通信端末がネットワーク内のサーバより早くメッセージの欠落、追い越しを検知できるようにすることによって、ネットワーク内のサーバが持っている状態と無線通信端末が持っている状態の不一致を防止することができる。また、本実施の形態１によれば、ハンドオーバの要求が初回でないことを示す識別子を含むメッセージを再度のハンドオーバを要求するメッセージとして送信するようにした場合には、ハンドオーバの再実行を確実にできるようにすることができるとともに、再度のハンドオーバを要求するメッセージを受信する受信側で、受信したメッセージが初回のハンドオーバの要求であるのか再度のハンドオーバの要求であるのかを容易に判断することがきる。また、本実施の形態１によれば、ステップＳＴ５１５において、回線交換サーバ４１０がＣｏｎｎｅｃｔ  Ａｃｋを受信した際に、回線交換サーバ４１０が、呼制御変換サーバ４１２へＡＮＭに対する応答メッセージを送信するような既に規定されているプロトコル仕様の変更をせずに確実にハンドオーバすることができる。【００７６】
なお、本実施の形態１において、ハンドオーバ先の回線交換ネットワークを経由する回線交換用のメッセージを送信することによって再度のハンドオーバを要求したが、これに限らず、ハンドオーバ元のＩＰネットワークを経由するＶｏＩＰ用のメッセージを送信することによって再度のハンドオーバを要求しても良い。【００７７】
（実施の形態２）
図９は、本発明の実施の形態２に係るハンドオーバ方法を示すシーケンス図である。なお、図９においては、図８と同一の手順については同一の符号を付して、その説明を省略する。また、実施の形態２においては、通信端末装置の構成は図４及び図６と同一構成であり、ハンドオーバ管理サーバの構成は図５と同一構成であるとともに、ネットワークの構成は図７と同一構成であるので、その説明は省略する。【００７８】
本実施の形態２は、ハンドオーバ制御部３０３は、再度ハンドオーバすることを要求する際に、無線ＬＡＮシステムと移動体通信（セルラ）システムとの両方を用いる点を特徴とするものである。【００７９】
切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。【００８０】
次に、無線ＬＡＮによる通信が正常に行われ、ハンドオーバ部１０５の呼監視部３０１は、ＶｏＩＰ呼制御部１０３がＢＹＥを受信したことを知る。【００８１】
次に、呼監視部３０１は、回線交換呼制御部１０４がＣｏｎｎｅｃｔを受信していないために回線交換音声通話の呼が確立されていないことを知る。【００８２】
次に、ハンドオーバ制御部３０３は、ＶｏＩＰ音声通話から回線交換音声通話にハンドオーバすることを要求するメッセージを作成する。この際、ハンドオーバ制御部３０３は、ＩＰネットワーク４０２を経由するＶｏＩＰ用の呼制御メッセージと回線交換ネットワーク４０３を経由する回線交換用の呼制御メッセージの両方を作成する。【００８３】
次に、再度ハンドオーバを要求するメッセージとして、通信端末装置４０１の回線交換ＩＦ１０２は、回線交換ネットワーク４０３を経由する回線交換用の呼制御メッセージを送信するとともに（ステップＳＴ６０１）、通信端末装置４０１の無線ＬＡＮ  ＩＦ１０１は、ＩＰネットワーク４０２を経由するＶｏＩＰ用の呼制御メッセージを送信する（ステップＳＴ６０２）。【００８４】
次に、ハンドオーバ管理サーバ４１１のハンドオーバ統合管理部２０４は、ハンドオーバ元呼制御部２０２がＢＹＢを送信したことを知る。そして、ハンドオーバ統合管理部２０４は、ハンドオーバ元呼制御部２０２がハンドオーバ元の呼を確立している状態において、ハンドオーバを要求するメッセージを受け取ると、ハンドオーバ先呼制御部２０３に対して、接続通知用のメッセージである２００  ＯＫの送信を指示し、ハンドオーバ先呼制御部２０３は、接続通知用のメッセージである２００  ＯＫを送信する（ステップＳＴ５１１）。【００８５】
このように、本実施の形態２によれば、上記実施の形態１の効果に加えて、再度のハンドオーバを要求する際に、ハンドオーバ先の回線交換ネットワーク４０３を経由する回線交換用の再度のハンドオーバを要求するメッセージと、ハンドオーバ元のＩＰネットワーク４０２を経由するＶｏＩＰ用の再度のハンドオーバを要求するメッセージの両方を送信することにより、ハンドオーバ先のネットワークが確立しなかったことを確実に通知することができるとともに、再度行うハンドオーバが成功する可能性を向上させることができる。【００８６】
（実施の形態３）
図１０及び図１１は、本発明の実施の形態３に係るハンドオーバ方法を示すシーケンス図である。なお、図１０及び図１１においては、図８と同一の手順については同一の符号を付して、その説明を省略する。また、実施の形態３においては、通信端末装置の構成は図４及び図６と同一構成であり、ハンドオーバ管理サーバの構成は図５と同一構成であるとともに、ネットワークの構成は図７と同一構成であるので、その説明は省略する。【００８７】
本実施の形態３は、所定時間内にハンドオーバ先の呼の確立を要求するメッセージを受け取れない場合に、再度のハンドオーバを要求する点を特徴とするものである。【００８８】
最初に、通信端末装置４０１が遅れてＣｏｎｎｅｃｔを受信する場合について、図１０を用いて説明する。【００８９】
切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。【００９０】
次に、通信端末装置４０１は、ＢＹＥを受信し、ハンドオーバ部１０５のハンドオーバ制御部３０３は、ＢＹＥを受信してから一定時間α（呼確立待ち時間）の間、回線交換呼制御部１０４がハンドオーバ先の呼の接続通知メッセージを受け取った旨の監視結果が呼監視部３０１から入力するのを待つ。【００９１】
次に、通信端末装置４０１は、一定時間α内に、ハンドオーバ先の呼の接続通知メッセージであるとともに回線交換用の呼制御メッセージであるＣｏｎｎｅｃｔを受信する（ステップＳＴ７０１）。【００９２】
次に、ハンドオーバ部１０５のハンドオーバ制御部３０３は、呼監視部３０１から、回線交換呼制御部１０４がＣｏｎｎｅｃｔを受け取った旨の監視結果が入力することにより、Ｃｏｎｎｅｃｔを受け取ったことを認識する。【００９３】
次に、通信端末装置４０１は、Ｃｏｎｎｅｃｔに対する確認応答メッセージであるＣｏｎｎｅｃｔ  Ａｃｋを送信する（ステップＳＴ７０２）。【００９４】
次に、通信端末装置４０１の無線ＬＡＮ  ＩＦ１０１は、ＶｏＩＰ用の呼制御メッセージであるＢＹＥに対する応答である２００  ＯＫを送信する（ステップＳＴ７０３）。【００９５】
次に、ハンドオーバ管理サーバ４１１は、２００  ＯＫを受信し、ハンドオーバ管理サーバ４１１のハンドオーバ統合管理部２０４は、ステップＳＴ５０８でＢＹＥを送信してから所定時間β（β＞α）内に２００  ＯＫを受信したことを認識する。そして、ハンドオーバ管理サーバ４１１のハンドオーバ元呼制御部２０２は、ハンドオーバ元呼制御部２０２に対して、ＶｏＩＰ音声通話用の呼の切断を指示し、ハンドオーバ元呼制御部２０２は、ＶｏＩＰ音声通話用の呼の切断を行う。【００９６】
通信端末装置のハンドオーバ部１０５が行う音声メディアの切り替え、即ちハンドオーバは、ネットワークと連動する必要はあるが、ステップＳＴ７０１でＣｏｎｎｅｃｔを受信してハンドオーバ先との呼が確立した後、ステップＳＴ７０３で２００  ＯＫを送信することによりハンドオーバ元との呼を切断するまでに行えばよい。【００９７】
次に、通信端末装置４０１がＣｏｎｎｅｃｔを受信しなかった場合について、図１１を用いて説明する。【００９８】
切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。【００９９】
次に、通信端末装置４０１は、ＢＹＥを受信し、ハンドオーバ部１０５のハンドオーバ制御部３０３は、ＢＹＥを受信してから一定時間αの間、回線交換呼制御部１０４がハンドオーバ先の呼の接続通知メッセージを受け取った旨の監視結果が呼監視部３０１から入力するのを待つ。【０１００】
そして、ハンドオーバ部１０５のハンドオーバ制御部３０３は、一定時間α内に、回線交換呼制御部１０４がハンドオーバ先の呼の接続通知メッセージであるＣｏｎｎｅｃｔを受け取っていないと認識し、ステップＳＴ５０９でＶｏＩＰ呼制御部１０３が受け取った切断要求メッセージであるＢＹＥを無効にして、再度ハンドオーバの指示メッセージを送信する（ステップＳＴ８０１）。【０１０１】
このように、本実施の形態３によれば、上記実施の形態１の効果に加えて、一定時間αが経過するまでに接続通知メッセージを受信した場合はハンドオーバを行うので、ハンドオーバ先の呼の接続通知メッセージを、ハンドオーバ元の呼の切断要求メッセージより後に受信した場合でもメディアの切り替えを行うことができる。また、本実施の形態３によれば、時間αを時間βより短くしているので、通信端末装置がハンドオーバ先との呼の確立に成功している場合に、ハンドオーバ管理サーバが誤ってハンドオーバ先に対する呼の確立を断念してしまうことを防止することができる。【０１０２】
なお、本実施の形態３において、ハンドオーバ部１０５のハンドオーバ制御部３０３は、時間αを調整することによって、通話が不通になることを防止することができるとともに、ハンドオーバに要する時間を短縮することができる。また、本実施の形態３において、ハンドオーバ管理サーバ４１１のハンドオーバ統合管理部２０４は、β時間を調整することによって、通話が不通になることを防止することができる。例えば、通信端末装置のハンドオーバ部１０５は、時間α内にＣｏｎｎｅｃｔを受け取っていないと認識した場合に、音声メディアを受信しなくなることを検知することにより、既にＶｏＩＰ音声通話が切断されたと判断した場合は、α時間を短くする。一方、ハンドオーバ制御部３０３は、時間α経過直後にＣｏｎｎｅｃｔを受信するような場合に、時間αを長くする。また、本実施の形態３において、ハンドオーバ先の回線交換ネットワークを経由する回線交換用のメッセージを送信することによって再度のハンドオーバを要求したが、これに限らず、ハンドオーバ元のＩＰネットワークを経由するＶｏＩＰ用のメッセージを送信することによって再度のハンドオーバを要求しても良い。【０１０３】
（実施の形態４）
図１２は、本発明の実施の形態４に係るハンドオーバ方法を示すシーケンス図である。なお、図１２においては、図８と同一の手順については同一の符号を付して、その説明を省略する。また、実施の形態４においては、通信端末装置の構成は図４及び図６と同一構成であり、ハンドオーバ管理サーバの構成は図５と同一構成であるとともに、ネットワークの構成は図７と同一構成であるので、その説明は省略する。【０１０４】
本実施の形態４は、ハンドオーバ元との呼の切断の要求を受けた場合で且つハンドオーバ先との呼が確立していない場合に、ハンドオーバを中止する点を特徴とするものである。【０１０５】
切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。【０１０６】
次に、無線ＬＡＮによる通信が正常に行われ、ハンドオーバ部１０５の呼監視部３０１は、ＶｏＩＰ呼制御部１０３がＢＹＥを受信したことを知る。【０１０７】
次に、呼監視部３０１は、回線交換呼制御部１０４がＣｏｎｎｅｃｔを受信していないために回線交換音声通話の呼が確立されていないことを知る。【０１０８】
次に、ハンドオーバ制御部３０３は、ＶｏＩＰ呼制御部１０３に対して、受信したＢＹＥを無効にすることを指示するとともに、ハンドオーバを中止するメッセージを作成する。【０１０９】
次に、通信端末装置４０１の回線交換ＩＦ１０２は、ハンドオーバ制御部３０３が作成したハンドオーバを中止するメッセージを送信する（ステップＳＴ９０１）。【０１１０】
次に、ハンドオーバ管理サーバ４１１は、ハンドオーバを中止するメッセージを受信し、ハンドオーバ統合管理部２０４は、ハンドオーバ元呼制御部２０２に対して、ハンドオーバ元のＶｏＩＰの呼を切断しないように指示するとともに、ハンドオーバ先呼制御部２０３に対して、ハンドオーバ先との呼の確立を断念するように指示する。これにより、通信端末装置４０１は、ハンドオーバ元の呼を継続的に使用することが可能になる。【０１１１】
このように、本実施の形態４によれば、ハンドオーバ元との呼の切断の要求を受けた場合で且つハンドオーバ先との呼が確立していない場合に、ハンドオーバ元との呼の切断の要求を無効にするとともに、ハンドオーバを中止するので、呼制御メッセージの欠落や、呼制御メッセージの追い越しが発生した場合でも、回線交換ネットワークの呼とＩＰネットワークの呼とが同時に切断されてしまうことを防止することができ、ネットワーク内のサーバ等の装置の負荷を増大させずにサービスを継続することができる。また、本実施の形態４によれば、無線通信端末がネットワーク内のサーバより早くメッセージの欠落、追い越しを検知できるようにすることによって、ネットワーク内のサーバが持っている状態と無線通信端末が持っている状態の不一致を防止することができる。【０１１２】
なお、本実施の形態４において、ハンドオーバ先の回線交換ネットワークを経由する回線交換用のメッセージを送信することによってハンドオーバの中止することにしたが、これに限らず、ハンドオーバ元のＩＰネットワークを経由するＶｏＩＰ用のメッセージを送信することによってハンドオーバの中止をするようにしても良い。【０１１３】
上記実施の形態１〜実施の形態４において、ＳＩＰによるＶｏＩＰ通話から回線交換による音声通話へハンドオーバする場合について説明したが、これに限らず、回線交換による音声通話からＳＩＰによるＶｏＩＰ通話へハンドオーバする場合、及び異なる呼制御を行う網にハンドオーバをするようなサービスに適用しても良く、パケットロス等が発生した場合においてもハンドオーバが可能になる。また、上記実施の形態１〜実施の形態４において、通信端末装置は、再度のハンドオーバの要求に対してもＣｏｎｎｅｃｔを受信しない場合で且つＢＹＥを受信する場合には、更に再度のハンドオーバの要求を行っても良いし、再度のハンドオーバの要求を複数回数繰り返したにも関わらずＣｏｎｎｅｃｔを受信しない場合に、ハンドオーバを中止するようにしても良い。
【産業上の利用可能性】
【０１１４】
本発明にかかる通信端末装置、ネットワークシステム及びハンドオーバ方法は、異なる通信方式を持つネットワークに接続して異なる通信方式を持つネットワーク間でハンドオーバするのに好適である。
【図１】
2008029441.tif 000003
【図２】
2008029441.tif 000004
【図３】
2008029441.tif 000005
【図４】
2008029441.tif 000006
【図５】
2008029441.tif 000007
【図６】
2008029441.tif 000008
【図７】
2008029441.tif 000009
【図８】
2008029441.tif 000010
【図９】
2008029441.tif 000011
【図１０】
2008029441.tif 000012
【図１１】
2008029441.tif 000013
【図１２】
2008029441.tif 000014
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
通信方式の異なるネットワーク毎に呼の確立及び呼の切断の呼制御を行う呼制御手段と、
前記通信方式の異なるネットワーク毎の受信品質を測定する受信品質測定手段と、
測定した前記受信品質に基づいて前記通信方式の異なるネットワーク間でハンドオーバする際に前記呼制御手段でハンドオーバ先との呼が確立していない場合には前記呼制御手段に対してハンドオーバ元との呼を切断させないようにして繰り返しハンドオーバを要求するハンドオーバ制御手段と、
を具備する通信端末装置。
【請求項２】
前記呼制御手段は、前記ハンドオーバ制御手段によるハンドオーバの要求に対するハンドオーバ元との呼の切断の要求を受けることによってハンドオーバ元との呼を切断し、
前記ハンドオーバ制御手段は、前記切断の要求を受けてからの所定時間である呼確立待ち時間内にハンドオーバ先との呼が確立しない場合に、ハンドオーバ元との呼を切断させないようにするとともに前記ハンドオーバを再び要求する請求項１記載の通信端末装置。
【請求項３】
前記ハンドオーバ制御手段は、ハンドオーバの要求が初回でないことを示す識別子を含むメッセージを送信することにより前記ハンドオーバを再び要求する請求項１記載の通信端末装置。
【請求項４】
前記ハンドオーバ制御手段は、複数の通信方式の異なるネットワークを用いて前記ハンドオーバを再び要求する請求項１記載の通信端末装置。
【請求項５】
前記ハンドオーバ制御手段は、前記ハンドオーバする際に前記呼制御手段でハンドオーバ先との呼が確立していない場合には前記呼制御手段に対してハンドオーバ元との呼を切断させないようにして前記ハンドオーバを中止する請求項１記載の通信端末装置。
【請求項６】
請求項２記載の通信端末装置と通信するサーバであって、
前記サーバは、
前記ハンドオーバの要求を受け付けるハンドオーバ要求受付手段と、
前記ハンドオーバ要求受付手段でハンドオーバの要求を受け付けた場合に前記通信端末装置に対して前記ハンドオーバ元との呼の切断を要求する呼切断要求手段と、
前記呼切断要求手段による前記ハンドオーバ元との呼の切断の要求に対して前記呼確立待ち時間よりも長い所定時間内に前記通信端末装置からの応答がない場合に前記通信端末装置との呼の切断の前記ハンドオーバ元への要求を中止するハンドオーバ要求中止手段と、
を具備するサーバ。
【請求項７】
通信方式の異なるネットワーク毎の受信品質に基づいて前記通信方式の異なるネットワーク間でハンドオーバするとともに、前記ハンドオーバする際にハンドオーバ先との呼が確立していない場合にはハンドオーバ元との呼を切断しないようにして繰り返しハンドオーバを要求する通信端末装置と、
前記通信端末装置からの前記ハンドオーバの要求を受けてハンドオーバ元との呼の切断を要求するとともにハンオドーバ先との呼の確立を要求するハンドオーバ管理サーバと、
を具備するネットワークシステム。
【請求項８】
通信方式の異なるネットワーク毎に呼の確立及び呼の切断の呼制御を行うステップと、
前記通信方式の異なるネットワーク毎の受信品質を測定するステップと、
測定した前記受信品質に基づいて前記通信方式の異なるネットワーク間でハンドオーバ
する際にハンドオーバ先との呼が確立していない場合にはハンドオーバ元との呼を切断せずに繰り返しハンドオーバを要求するステップと、
を具備するハンドオーバ方法。
【手続補正２】
【補正対象書類名】明細書
【補正対象項目名】全文
【補正方法】変更
【補正の内容】
【書類名】          明細書
【発明の名称】      通信端末装置、ネットワークシステム及びハンドオーバ方法
【技術分野】
【０００１】
本発明は、通信端末装置、ネットワークシステム及びハンドオーバ方法に関し、特に異なる通信方式を持つネットワークに接続可能であるとともに異なる通信方式を持つネットワーク間でハンドオーバする通信端末装置、ネットワークシステム及びハンドオーバ方法に関する。
【背景技術】
【０００２】
現在、データの伝送レートは低いが広いエリアをカバーする移動体通信(セルラ)システムと、データ伝送レートは高いが狭いエリアをカバーする無線ＬＡＮシステムの両システム間を無線通信端末が自由にハンドオーバするようなシステムの開発が進められている。特に移動体通信の通信規格を策定する３ＧＰＰ（3rd Generation Partnership Project）においては、回線交換音声通話とＶｏＩＰ音声通話との間で継続して音声通話が可能なハンドオーバ方式の規格化が検討されている(3GPP draft TR (Technical Report) 23.806、TS (Technical Specification) 23.206)。また、回線交換音声通話とＶｏＩＰ音声通話との間でのハンドオーバ方式として特許文献１にて開示される技術が知られている。
【０００３】
電話サービスを受けながら、回線交換音声通話が可能な回線交換ネットワークとＶｏＩＰ音声通話が可能なＩＰネットワークとの間でのハンドオーバを行うためには、特許文献１の図１２に示されているように、ハンドオーバ先のネットワークの呼を確立した後、ハンドオーバ元のネットワークの呼を切断するという手順が用いられる。特許文献１においては、通話している端末同士が呼制御を行っているが、３ＧＰＰ  ＴＲ  ２３．８０６で検討されているように、ネットワーク内の１つ、あるいは複数のサーバが呼を中継し、呼制御メッセージの変換とともに回線交換の音声メディアとＶｏＩＰ用の音声メディアのメディア変換をすることによって、通話相手が対応している呼制御方式によらずにハンドオーバすることも考えられる。
【特許文献１】  特開２００４−２９７５９１号公報
【発明の開示】
【発明が解決しようとする課題】
【０００４】
しかしながら、従来の３ＧＰＰ  ＴＲ  ２３．８０６で検討されているシステムの場合、ネットワークの構成は複雑になり、特許文献１の図１２に示されるようなハンドオーバ先のネットワークの呼を確立した後、ハンドオーバ元のネットワークの呼を切断するという手順をシーケンシャルに実行することができない場合がある。その場合、呼制御メッセージの欠落や回線交換ネットワークとＶｏＩＰに使用するＩＰネットワークの伝送遅延時間の差によって、音声通話が不通となったり、音声の途切れの時間が増大する。
【０００５】
例えば、ハンドオーバ先のネットワークの呼制御メッセージが欠落して、ハンドオーバ先のネットワークの呼が確立されない状態で、ハンドオーバ元の呼の切断が行われると、音声通話が不通になるという問題がある。また、ネットワークの伝送遅延によって、ハンドオーバ先のネットワークの呼制御メッセージが確立する前に、ハンドオーバ元の呼の切断が行われると、ハンドオーバに要する時間が大きくなり、音声が途切れる時間が増大するという問題がある。
【０００６】
図１〜図３は、３ＧＰＰで検討されている回線交換音声通話とＶｏＩＰ音声通話との間で継続して音声通話が可能なハンドオーバ方式を示すシーケンス図である。
【０００７】
図１は、ハンドオーバが正常に実行できる場合を示すシーケンス図であり、ＶｏＩＰに
よる音声通話をしている状態において、回線交換による音声通話に切替える場合である。図１において、無線通信端末はハンドオーバを要求するメッセージであるＳｅｔｕｐを送信し（ステップＳＴ１１、ステップＳＴ１２、ステップＳＴ１３、ステップＳＴ１４）、ハンドオーバの要求を受け取ったハンドオーバ管理サーバはハンドオーバ先との呼を確立するためのメッセージを送信する（ステップＳＴ１５、ステップＳＴ１６、ステップＳＴ１７、ステップＳＴ１８）。そして、ハンドオーバ先との呼を確立するためのメッセージであるＣｏｎｎｅｃｔを受信した無線通信端末は、Ｃｏｎｎｅｃｔの応答のメッセージであるＣｏｎｎｅｃｔ  Ａｃｋを送信する（ステップＳＴ１９）。そして、ハンドオーバ管理サーバは、呼制御変換サーバからハンドオーバ先との呼を確立するためのメッセージに対する応答を受信し（ステップＳＴ２０、ステップＳＴ２１）、ハンドオーバ元との呼の切断を要求するメッセージであるＢＹＥを送信する（ステップＳＴ２２、ステップＳＴ２３）。そして、ＢＹＥを受信した無線通信端末は、ＢＹＥに対する応答である２００  ＯＫを送信する（ステップＳＴ２４、ステップＳＴ２５）。ここで、ステップＳＴ１１〜ステップＳＴ１９までは、ハンドオーバ先である回線交換による呼の確立のシーケンスであり、ステップＳＴ２２〜ステップＳＴ２５は、ハンドオーバ元であるＶｏＩＰの呼の切断のシーケンスである。なお、図１においては、本発明に関連する装置とメッセージのみ記述している。
【０００８】
図２は、回線交換の呼制御用のメッセージであるＣｏｎｎｅｃｔが無線上で欠落した場合を示すシーケンス図である。呼制御変換サーバは、ＳＩＰ（Session Initial Protocol）サーバから送信された２００  ＯＫを受信した後（ステップＳＴ１６）、移動体通信回線交換ネットワーク内の回線交換サーバにＡＮＭ（Answer Message）を送信すると同時に（ステップＳＴ１７）、ＳＩＰサーバにＡＣＫを送信するため（ステップＳＴ２０、ステップＳＴ２１）、ハンドオーバ管理サーバは、Ｃｏｎｎｅｃｔの送信成功または送信失敗に関わらずＳＩＰのＢＹＥを送信してしまう（ステップＳＴ２２、ステップＳＴ２３）。ＢＹＥとＢＹＥの応答である２００  ＯＫとの送受信によって、ＶｏＩＰ音声通話は切断される。無線状況の悪化等により無線通信端末がＣｏｎｎｅｃｔを受信できない場合、または回線交換サーバと無線通信端末の間でＣｏｎｎｅｃｔの再送は行われるが再送にも失敗した場合、回線交換による呼が確立していない状態でＶｏＩＰの呼も切断されてしまうために通話できなくなってしまう。
【０００９】
図３は、無線通信端末が呼制御用のメッセージであるＢＹＥを受信した後に呼制御用のメッセージであるＣｏｎｎｅｃｔを受信する場合（追い越し）について示すシーケンス図である。Ｃｏｎｎｅｃｔは、回線交換ネットワークでの伝送遅延または無線環境の悪化によるＣｏｎｎｅｃｔの再送動作により、ＩＰネットワークを経由するＢＹＥより後に（ステップＳＴ２２、ステップＳＴ２３）、無線通信端末に到着する可能性がある（ステップＳＴ５０、ステップＳＴ５１）。この場合、ＶｏＩＰ音声通話を切断した後に回線交換音声通話が開始されるので、音声が途切れる時間が増大することになる。
【００１０】
３ＧＰＰ  ＴＲ  ２３．８０６及び特許文献１において、呼制御メッセージの欠落や、呼制御メッセージの追い越しが発生した場合の動作は明らかにされていない。また、異種ネットワークの呼制御が行われるために、ハンドシェイク型の通信ができない場合があり、メッセージの欠落等があった場合は、上記の問題が生じる。この場合、ネットワーク内のサーバ等の装置で対応することも可能であるが、既存のシステム及びプロトコルの改造が大きくなる恐れがあり、コストアップになるという問題がある。
【００１１】
本発明はかかる点に鑑みてなされたものであり、呼制御メッセージの欠落や、呼制御メッセージの追い越しが発生した場合でも、ネットワーク内のサーバ等の装置の負荷を増大させずにサービスを継続することができる通信端末装置、ネットワークシステム及びハンドオーバ方法を提供することを目的とする。
【課題を解決するための手段】
【００１２】
本発明の通信端末装置は、通信方式の異なるネットワーク毎に呼の確立及び呼の切断の呼制御を行う呼制御手段と、前記通信方式の異なるネットワーク毎の受信品質を測定する受信品質測定手段と、測定した前記受信品質に基づいて前記通信方式の異なるネットワーク間でハンドオーバする際に前記呼制御手段でハンドオーバ先との呼が確立していない場合には前記呼制御手段に対してハンドオーバ元との呼を切断させないようにして繰り返しハンドオーバを要求するハンドオーバ制御手段と、を具備する構成を採る。
【００１３】
本発明のネットワークシステムは、通信方式の異なるネットワーク毎の受信品質に基づいて前記通信方式の異なるネットワーク間でハンドオーバするとともに、前記ハンドオーバする際にハンドオーバ先との呼が確立していない場合にはハンドオーバ元との呼を切断しないようにして繰り返しハンドオーバを要求する通信端末装置と、前記通信端末装置からの前記ハンドオーバの要求を受けてハンドオーバ元との呼の切断を要求するとともにハンオドーバ先との呼の確立を要求するハンドオーバ管理サーバと、を具備する構成を採る。
【００１４】
本発明のハンドオーバ方法は、通信方式の異なるネットワーク毎に呼の確立及び呼の切断の呼制御を行うステップと、前記通信方式の異なるネットワーク毎の受信品質を測定するステップと、測定した前記受信品質に基づいて前記通信方式の異なるネットワーク間でハンドオーバする際にハンドオーバ先との呼が確立していない場合にはハンドオーバ元との呼を切断せずに繰り返しハンドオーバを要求するステップと、を具備するようにした。
【発明の効果】
【００１５】
本発明によれば、呼制御メッセージの欠落や、呼制御メッセージの追い越しが発生した場合でも、ネットワーク内のサーバ等の装置の負荷を増大させずにサービスを継続することができる。
【発明を実施するための最良の形態】
【００１７】
以下、本発明の実施の形態について、図面を参照して詳細に説明する。
【００１８】
（実施の形態１）
図４は、本発明の実施の形態１に係る通信端末装置１００の構成を示すブロック図である。図４において、無線ＬＡＮ  ＩＦ１０１と、回線交換ＩＦ１０２と、ＶｏＩＰ呼制御部１０３と、回線交換呼制御部１０４と、ハンドオーバ部１０５と、入出力部１０６とは、バス１０７によって互いに接続されている。
【００１９】
無線ＬＡＮ  ＩＦ１０１は、無線ＬＡＮシステムによるＶｏＩＰ音声通話の信号を受信して、受信した信号をバス１０７を介してＶｏＩＰ呼制御部１０３とハンドオーバ部１０５と入出力部１０６へ出力する。また、無線ＬＡＮ  ＩＦ１０１は、バス１０７を介してＶｏＩＰ呼制御部１０３とハンドオーバ部１０５と入出力部１０６から入力した無線ＬＡＮシステムによるＶｏＩＰ音声通話の信号を送信する。また、無線ＬＡＮ  ＩＦ１０１は、ＶｏＩＰ呼制御部１０３から入力した呼の確立のためのメッセージを送信するとともに、受信した呼の切断のためのメッセージをＶｏＩＰ呼制御部１０３へ出力する。また、無線ＬＡＮ  ＩＦ１０１は、ハンドオーバ部１０５から入力したハンドオーバを要求するメッセージを送信する。
【００２０】
回線交換ＩＦ１０２は、移動体通信（セルラ）システムによる回線交換音声通話の信号を受信して、受信した信号をバス１０７を介して回線交換呼制御部１０４とハンドオーバ部１０５と入出力部１０６へ出力する。また、回線交換ＩＦ１０２は、バス１０７を介して回線交換呼制御部１０４とハンドオーバ部１０５と入出力部１０６から入力した移動体通信（セルラ）システムによる回線交換音声通話の信号を送信する。また、回線交換ＩＦ１０２は、回線交換呼制御部１０４から入力した呼の確立のためのメッセージを送信するとともに、受信した呼の切断のためのメッセージを回線交換呼制御部１０４へ出力する。また、回線交換ＩＦ１０２は、ハンドオーバ部１０５から入力したハンドオーバを要求するメッセージを送信する。ここで、無線ＬＡＮシステムによるＶｏＩＰ音声通話と移動体通信（セルラ）システムによる回線交換音声通話は、通信方式の異なるネットワークである。
【００２１】
呼制御手段であるＶｏＩＰ呼制御部１０３は、呼の確立及び呼の切断に関するメッセージをバス１０７を介して無線ＬＡＮ  ＩＦ１０１へ出力するとともに、呼の確立及び呼の切断に関するメッセージがバス１０７を介して無線ＬＡＮ  ＩＦ１０１から入力することにより、無線ＬＡＮシステムによるＶｏＩＰ音声通話の呼の確立及び呼の切断の呼制御を行う。また、ＶｏＩＰ呼制御部１０３は、ハンドオーバ部１０５から呼切断の要求を無効にするように指示された場合に、無線ＬＡＮ  ＩＦ１０１から入力した呼の切断を要求するメッセージを無効にして呼を切断しないようにする。
【００２２】
呼制御手段である回線交換呼制御部１０４は、呼の確立及び呼の切断に関するメッセージをバス１０７を介して回線交換ＩＦ１０２へ出力するとともに、呼の確立及び呼の切断に関するメッセージがバス１０７を介して回線交換ＩＦ１０２から入力することにより、移動体通信（セルラ）システムによる回線交換音声通話の呼の確立及び呼の切断の呼制御を行う。また、回線交換呼制御部１０４は、ハンドオーバ部１０５から呼切断の要求を無効にするように指示された場合に、回線交換ＩＦ１０２から入力した呼の切断を要求するメッセージを無効にして呼を切断しないようにする。
【００２３】
ハンドオーバ部１０５は、ＶｏＩＰ制御部１０３が行う呼制御の状態と呼制御によって確立された呼の状態と呼制御によって切断された呼の状態を監視するとともに、回線交換呼制御部１０４が行う呼制御の状態と呼制御によって確立された呼の状態と呼制御によって切断された呼の状態を監視する。また、ハンドオーバ部１０５は、無線ＬＡＮ  ＩＦ１０１から入力した信号より無線ＬＡＮシステムの受信品質を測定するとともに、回線交換ＩＦ１０２から入力した信号より移動体通信（セルラ）システムの受信品質を測定し、各々の測定結果に基づいて、無線ＬＡＮシステムと移動体通信（セルラ）システムとの間のハンドオーバを制御する。また、ハンドオーバ部１０５は、ハンドオーバの制御に伴うハンドオーバの要求の後、ＶｏＩＰ呼制御部１０３または回線交換呼制御部１０４がハンドオーバ元との呼の切断を要求するメッセージを受け取った場合に、ハンドオーバ先との呼が確立されていなければ、ハンドオーバ元との呼の切断の要求を受けたＶＯＩＰ呼制御部１０３または回線交換呼制御部１０４に対して、ハンドオーバ元との呼の切断の要求を無効にするように指示する。なお、ハンドオーバ部１０５の詳細な構成については後述する。
【００２４】
入出力部１０６は、ハンドオーバ部１０５によって選択された呼を確立することにより無線ＬＡＮ  ＩＦ１０１または回線交換ＩＦ１０２で受信されてバス１０７を介して入力した各種サービスを、マイク、レシーバ、スピーカ、ディスプレイ等の入出力装置を通じてユーザに提供する。
【００２５】
次に、ハンドオーバ管理サーバ２００の構成について、図５を用いて説明する。図５は、ハンドオーバ管理サーバ２００の構成を示すブロック図である。
【００２６】
通信ＩＦ２０１と、ハンドオーバ元呼制御部２０２と、ハンドオーバ先呼制御部２０３と、ハンドオーバ統合管理部２０４とは、バス２０５によって互いに接続されている。
【００２７】
通信ＩＦ２０１は、無線ＬＡＮシステムによるＶｏＩＰ音声通話の信号及び移動体通信（セルラ）システムによる回線交換音声通話の信号を受信して、受信した信号をバス２０５を介してハンドオーバ元呼制御部２０２とハンドオーバ先呼制御部２０３とハンドオーバ統合管理部２０４とに出力する。また、通信ＩＦ２０１は、バス２０５を介してハンドオーバ元呼制御部２０２とハンドオーバ先呼制御部２０３とハンドオーバ統合管理部２０４から入力した信号を送信する。また、通信ＩＦ２０１は、受信したハンドオーバを要求するメッセージをハンドオーバ統合管理部２０４へ出力し、ハンドオーバ元呼制御部２０２から入力したハンドオーバ元との呼の切断を要求するメッセージ及びハンドオーバ先呼制御部２０３から入力したハンドオーバ先との呼の確立を要求するメッセージを送信する。
【００２８】
ハンドオーバ元呼制御部２０２は、ハンドオーバ元の呼の呼制御を行う。具体的には、ハンドオーバ元呼制御部２０２は、ハンドオーバ統合管理部２０４の指示に従って、ハンドオーバ元の呼の切断を要求するメッセージを通信ＩＦ２０１へ出力する。
【００２９】
ハンドオーバ先呼制御部２０３は、ハンドオーバ先の呼の呼制御を行う。具体的には、ハンドオーバ先呼制御部２０３は、ハンドオーバ統合管理部２０４の指示に従って、ハンドオーバ先の呼の確立を要求するメッセージを通信ＩＦ２０１へ出力する。
【００３０】
ハンドオーバ統合管理部２０４は、ハンドオーバ元呼制御部２０２が行う呼制御の状態と、ハンドオーバ先呼制御部２０３が行う呼制御の状態をそれぞれ監視して、ハンドオーバを制御する。具体的には、ハンドオーバ統合管理部２０４は、通信ＩＦ２０１からハンドオーバを要求するメッセージが入力した場合に、ハンドオーバ元呼制御部２０２に対し
てハンドオーバ元の呼の切断を要求するメッセージを出力するように指示し、ハンドオーバ先呼制御部２０３に対してハンドオーバ先の呼の確立を要求するメッセージを出力するように指示する。
【００３１】
次に、通信端末装置１００のハンドオーバ部１０５の構成の詳細について、図６を用いて説明する。図６は、ハンドオーバ部１０５の構成を示すブロック図である。
【００３２】
呼監視部３０１は、ＶｏＩＰ呼制御部１０３及び回線交換呼制御部１０４における呼の切断または呼の確立を監視する。また、呼監視部３０１は、ＶｏＩＰ呼制御部１０３及び回線交換呼制御部１０４に呼の切断を要求するメッセージが入力したか否かを監視する。そして、呼監視部３０１は、各々の監視結果をハンドオーバ制御部３０３へ出力する。
【００３３】
受信品質測定部３０２は、無線ＬＡＮシステムによるＶｏＩＰ音声通話の信号及び移動体通信（セルラ）システムによる回線交換音声通話の信号の受信品質を測定する。そして、受信品質測定部３０２は、各々の測定結果をハンドオーバ制御部３０３へ出力する。
【００３４】
ハンドオーバ制御部３０３は、受信品質測定部３０２から入力した受信品質の測定結果に基づいて、無線ＬＡＮシステムと移動体通信（セルラ）システムとの間でハンドオーバするか否かを判断する。そして、ハンドオーバ制御部３０３は、ハンドオーバすると判断した際に、ハンドオーバを要求するメッセージを作成して、作成したメッセージを無線ＬＡＮ  ＩＦ１０１または回線交換ＩＦ１０２へ出力する。また、ハンドオーバ制御部３０３は、ハンドオーバすると判断した際に、呼監視部３０１から入力した監視結果を参照して、ＶｏＩＰ呼制御部１０３または回線交換呼制御部１０４において、ハンドオーバ元との呼の切断を要求するメッセージを受け取っている場合で、且つハンドオーバ先との呼が確立されていない場合に、ＶｏＩＰ呼制御部１０３または回線交換呼制御部１０４に対して、受け取った呼の切断を要求するメッセージを無効にするように指示する。
【００３５】
図７は、本実施の形態１に係るネットワーク４００の構成を示す図である。
【００３６】
ネットワーク４００は、通信端末装置４０１と、ＩＰネットワーク４０２と、回線交換ネットワーク４０３と、結合ネットワーク４０４と、ネットワーク４０５と、通話相手４０６とから構成される。また、ＩＰネットワーク４０２は、無線ＬＡＮアクセスポイント４０７及びＳＩＰサーバ４０８を含む。また、回線交換ネットワーク４０３は、基地局４０９及び回線交換サーバ４１０を含む。また、結合ネットワーク４０４は、ハンドオーバ管理サーバ４１１と、呼制御変換サーバ４１２と、メディアゲートウェイ４１３を含む。
【００３７】
通信端末装置４０１は、図４及び図６に示す通信端末装置１００と同一構成を有し、回線交換音声通話とＶｏＩＰ音声通話が可能である。
【００３８】
通話相手４０６は、ネットワーク４０５を介して通信端末装置４０１と音声通話を行う通信装置である。なお、通話相手４０６が音声通話を行う通信方式は特に限定されない。
【００３９】
無線ＬＡＮアクセスポイント４０７は、通信端末装置４０１がＩＰネットワークに接続するために設けられるものであり、ＩＥＥＥ  ８０２．１１ａ、ｂ、ｇ等に準拠するものである。
【００４０】
ＳＩＰサーバ４０８は、ＶｏＩＰ用の呼制御(ここではＳＩＰ)を行うサーバである。
【００４１】
基地局４０９は、通信端末装置４０１が回線交換ネットワークに接続するために設けられるものである。
【００４２】
回線交換サーバ４１０は、回線交換ネットワーク内の回線交換による呼制御を行うサーバである。
【００４３】
ハンドオーバ管理サーバ４１１は、図５に示すハンドオーバ管理サーバ２００と同一構成を有し、ハンドオーバの呼制御を管理するサーバである。また、ハンドオーバ管理サーバ４１１は、回線交換用、ＶｏＩＰ用の呼制御メッセージを一元的に管理する。本実施の形態１においては、ハンドオーバ管理サーバ４１１は、回線交換用の呼制御メッセージをＶｏＩＰ用の呼制御（ＳＩＰ）メッセージに変換して処理している。
【００４４】
呼制御変換サーバ４１２は、回線交換用の呼制御メッセージとＶｏＩＰ用の呼制御メッセージを変換するサーバである。
【００４５】
メディアゲートウェイ４１３は、通話相手４０６との呼(音声メディア)を中継し、通信端末装置４０１が送信する回線交換あるいはＶｏＩＰの音声メディアを通話相手４０６が受信できる音声メディアに変換するゲートウェイである。また、メディアゲートウェイ４１３は、通話相手４０６が送信する音声メディアを回線交換の音声メディアあるいはＶｏＩＰの音声メディアに変換するゲートウェイである。
【００４６】
次に、ネットワーク４００におけるハンドオーバ方法について、図８を用いて説明する。図８は、ハンドオーバ方法を示すシーケンス図である。
【００４７】
図８において、通信端末装置４０１は、ＩＰネットワーク経由でＳＩＰにより、ＶｏＩＰ音声通話用の呼を確立して、ＶｏＩＰ音声通話を行っているものとし、また回線交換音声通話とＶｏＩＰ音声通話のサービスを継続して受けるための登録を終えているものとする。さらに、音声メディアはメディアゲートウェイによって中継／フォーマット変換されており、ハンドオーバが発生した場合でも、呼制御はハンドオーバする通信端末装置４０１とネットワーク内の装置との間で行われるものとする。
【００４８】
通信端末装置４０１のハンドオーバ部１０５は、通信端末装置４０１と無線ＬＡＮアクセスポイント４０７との間の通信状態の悪化、及び通信端末装置４０１と基地局４０９との間の通信状態の良化等の理由により、ＩＰネットワーク４０２経由でのＶｏＩＰ音声通話から回線交換ネットワーク４０３経由での回線交換音声通話にハンドオーバすることを決定する。具体的には、ハンドオーバ部１０５の受信品質測定部３０２は、無線ＬＡＮシステムによるＶｏＩＰ音声通話の信号及び移動体通信（セルラ）システムによる回線交換音声通話の信号の受信品質を測定する。そして、ハンドオーバ部１０５のハンドオーバ制御部３０３は、受信品質の測定結果より、通信端末装置４０１と無線ＬＡＮアクセスポイント４０７との間の通信状態の悪化、及び通信端末装置４０１と基地局４０９との間の通信状態の良化を認識することができる。ハンドオーバ部１０５のハンドオーバ制御部３０３は、例えば無線ＬＡＮシステムによるＶｏＩＰ音声通話の信号の受信品質がしきい値未満になるとともに、移動体通信（セルラ）システムによる回線交換音声通話の信号の受信品質がしきい値以上になった場合に、ＩＰネットワーク４０２経由でのＶｏＩＰ音声通話から回線交換ネットワーク４０３経由での回線交換音声通話にハンドオーバすることを決定する。
【００４９】
次に、ハンドオーバ部１０５のハンドオーバ制御部３０３は、回線交換ＩＦ１０２を介して、回線交換の発信処理開始用のメッセージであるとともにハンドオーバを要求するメッセージであるＳｅｔｕｐを送信する（ステップＳＴ５０１）。
【００５０】
次に、回線交換サーバ４１０は、基地局４０９を介してＳｅｔｕｐを受信し、通信端末
装置４０１からのハンドオーバの指示であることを認識し、ハンドオーバ管理サーバ４１１に対して、ハンドオーバの指示メッセージであるＩＡＭを送信する（ステップＳＴ５０２）。この際、回線交換の発信処理開始用のメッセージであるＳｅｔｕｐは、他の呼制御メッセージに変換された上で転送される。
【００５１】
次に、呼制御変換サーバ４１２は、ハンドオーバの指示メッセージであるＩＡＭをＩＮＶＩＴＥに変換してハンドオーバ管理サーバ４１１へ送信する（ステップＳＴ５０３）。
【００５２】
次に、ハンドオーバ管理サーバ４１１は、ハンドオーバの指示メッセージであるＩＮＶＩＴＥを受信し、ハンオドーバ管理サーバ４１１のハンドオーバ統合管理部２０４は、ハンドオーバ先呼制御部２０３に対して、ハンドオーバ先のネットワークである回線交換の呼の確立を行うように指示する。そして、ハンドオーバ先呼制御部２０３は、通信ＩＦ２０１を介して、ハンドオーバ先のネットワークである回線交換の呼の確立を行うための接続通知用のメッセージである２００  ＯＫを送信する（ステップＳＴ５０４）。
【００５３】
次に、呼制御変換サーバ４１２は、回線交換の呼の確立を行うための接続通知用のメッセージである２００  ＯＫをＡＮＭに変換して回線交換サーバ４１０へ送信する（ステップＳＴ５０５）。
【００５４】
次に、回線交換サーバ４１０は、ＡＮＭを受信し、基地局４０９を介して、ハンドオーバ先のネットワークである回線交換の呼の確立を行うための接続通知用のメッセージであるＣｏｎｎｅｃｔを送信する。しかし、通信端末装置４０１は、基地局４０９と通信端末装置４０１との間の通信状態の悪化等の理由により、Ｃｏｎｎｅｃｔを受信することができない（ステップＳＴ５０６）。
【００５５】
また、通信端末装置４０１が回線交換の接続通知用のメッセージであるＣｏｎｎｅｃｔを受信できない場合でも、ネットワーク内の呼制御変換サーバ４１２は、接続通知用のメッセージである２００  ＯＫに対する確認応答メッセージであるＡＣＫを送信する（ステップＳＴ５０７）。
【００５６】
次に、ハンドオーバ管理サーバ４１１は、確認応答メッセージであるＡＣＫを受信し、ハンドオーバ管理サーバ４１１のハンドオーバ統合管理部２０４は、ハンドオーバ元呼制御部２０２に対して、既に確立しているハンドオーバ元であるＶｏＩＰ音声通話用の呼を切断するように指示する。そして、ハンドオーバ管理サーバ４１１のハンドオーバ元呼制御部２０２は、既に確立しているハンドオーバ元であるＶｏＩＰ音声通話用の呼を切断するために、通信ＩＦ２０１を介して、ＶｏＩＰ音声通話を切断するための切断要求メッセージであるＢＹＥを送信する（ステップＳＴ５０８）。
【００５７】
次に、切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。
【００５８】
次に、無線ＬＡＮによる通信が正常に行われ、ハンドオーバ部１０５の呼監視部３０１は、ＶｏＩＰ呼制御部１０３がＢＹＥを受け取ったことを知る。
【００５９】
次に、呼監視部３０１は、回線交換呼制御部１０４がＣｏｎｎｅｃｔを受け取っていないために回線交換音声通話の呼が確立されていないことを知る。
【００６０】
次に、ハンドオーバ制御部３０３は、ＶｏＩＰ呼制御部１０３に対して、受信したＢＹＥを無効にすることを指示するとともに、再びハンドオーバを要求するメッセージを作成
する。この際、ハンドオーバ制御部３０３は、初回に作成したハンドオーバを要求するメッセージと同一のメッセージを作成する方法、ハンドオーバの要求が初回でないことを示す識別子を含むメッセージを作成する方法、またはＳｅｔｕｐに代わる再度のハンドオーバを要求する特定のメッセージを作成する方法のいずれかの方法を用いることができる。
【００６１】
次に、通信端末装置４０１の回線交換ＩＦ１０２は、ハンドオーバ制御部３０３が作成した再度のハンドオーバを要求するメッセージを送信する（ステップＳＴ５１０）。
【００６２】
次に、ハンドオーバ管理サーバ４１１のハンドオーバ統合管理部２０４は、ハンドオーバ元呼制御部２０２がＢＹＢを送信したことを知る。そして、ハンドオーバ統合管理部２０４は、ハンドオーバ元呼制御部２０２がハンドオーバ元の呼を確立している状態において、ハンドオーバの指示メッセージを受け取ると、ハンドオーバ先呼制御部２０３に対して、接続通知用のメッセージである２００  ＯＫの送信を指示し、ハンドオーバ先呼制御部２０３は、通信ＩＦ２０１を介して、接続通知用のメッセージである２００  ＯＫを送信する（ステップＳＴ５１１）。
【００６３】
次に、呼制御変換サーバ４１２は、回線交換の呼の確立を行うための接続通知用のメッセージである２００  ＯＫをＡＮＭに変換して回線交換サーバ４１０へ送信する（ステップＳＴ５１２）。
【００６４】
次に、回線交換サーバ４１０は、ＡＮＭを受信し、基地局４０９を介して、ハンドオーバ先のネットワークである回線交換の呼の確立を行うための接続通知用のメッセージであるＣｏｎｎｅｃｔを送信する（ステップＳＴ５１３）。
【００６５】
次に、ネットワーク内の呼制御変換サーバ４１２は、接続通知用のメッセージである２００  ＯＫに対する確認応答メッセージであるＡＣＫを送信する（ステップＳＴ５１４）。
【００６６】
次に、Ｃｏｎｎｅｃｔを受信した通信端末装置４０１は、Ｃｏｎｎｅｃｔに対する確認応答メッセージであるＣｏｎｎｅｃｔ  Ａｃｋを送信する（ステップＳＴ５１５）。
【００６７】
次に、ハンドオーバ管理サーバ４１１のハンドオーバ統合管理部２０４は、ハンドオーバ元呼制御部２０２に対して、切断要求メッセージであるＢＹＥの送信を指示し、ハンドオーバ元呼制御部２０２は、切断要求メッセージであるＢＹＥを送信する（ステップＳＴ５１６）。
【００６８】
次に、切断要求メッセージであるＢＹＥを受信したＳＩＰサーバ４０８は、無線ＬＡＮアクセスポイント４０７を介して、切断要求メッセージであるＢＹＥを送信する（ステップＳＴ５１７）。
【００６９】
次に、無線ＬＡＮによる通信が正常に行われ、ハンドオーバ部１０５の呼監視部３０１は、ＶｏＩＰ呼制御部１０３がＢＹＥを受け取ったことを知る。
【００７０】
次に、呼監視部３０１は、回線交換呼制御部１０４がＣｏｎｎｅｃｔを受信することにより回線交換音声通話の呼が確立されたことを知る。
【００７１】
次に、通信端末装置４０１は、切断要求メッセージであるＢＹＥに対する確認応答メッセージである２００  ＯＫを送信する（ステップＳＴ５１８）。
【００７２】
次に、ＳＩＰサーバ４０８は、２００  ＯＫを受信し、受信した２００  ＯＫをハンド
オーバ管理サーバ４１１へ送信する（ステップＳＴ５１９）。
【００７３】
ハンドオーバ管理サーバ４１１は、２００  ＯＫを受信することにより、通信端末装置４０１がハンドオーバに成功したことを知ることができる。
【００７４】
なお、通信端末装置４０１のハンドオーバ部１０５が行う音声メディアの切り替えは、ネットワークと連動する必要はあるが、ステップＳＴ５１３でＣｏｎｎｅｃｔを受信した後、即ちハンドオーバ先の呼が確立した後、ステップＳＴ５１８で２００  ＯＫを送信するまで、即ちハンドオーバ元の呼を切断するまでに行えばよい。
【００７５】
このように、本実施の形態１によれば、ハンドオーバ元との呼の切断の要求を受けた場合で且つハンドオーバ先との呼が確立していない場合に、ハンドオーバ元との呼の切断の要求を無効にするとともに、再度ハンドオーバすることを要求するので、呼制御メッセージの欠落や、呼制御メッセージの追い越しが発生した場合でも、回線交換ネットワークの呼とＩＰネットワークの呼とが同時に切断されてしまうことを防止することができ、ネットワーク内のサーバ等の装置の負荷を増大させずにサービスを継続することができる。また、本実施の形態１によれば、無線通信端末がネットワーク内のサーバより早くメッセージの欠落、追い越しを検知できるようにすることによって、ネットワーク内のサーバが持っている状態と無線通信端末が持っている状態の不一致を防止することができる。また、本実施の形態１によれば、ハンドオーバの要求が初回でないことを示す識別子を含むメッセージを再度のハンドオーバを要求するメッセージとして送信するようにした場合には、ハンドオーバの再実行を確実にできるようにすることができるとともに、再度のハンドオーバを要求するメッセージを受信する受信側で、受信したメッセージが初回のハンドオーバの要求であるのか再度のハンドオーバの要求であるのかを容易に判断することがきる。また、本実施の形態１によれば、ステップＳＴ５１５において、回線交換サーバ４１０がＣｏｎｎｅｃｔ  Ａｃｋを受信した際に、回線交換サーバ４１０が、呼制御変換サーバ４１２へＡＮＭに対する応答メッセージを送信するような既に規定されているプロトコル仕様の変更をせずに確実にハンドオーバすることができる。
【００７６】
なお、本実施の形態１において、ハンドオーバ先の回線交換ネットワークを経由する回線交換用のメッセージを送信することによって再度のハンドオーバを要求したが、これに限らず、ハンドオーバ元のＩＰネットワークを経由するＶｏＩＰ用のメッセージを送信することによって再度のハンドオーバを要求しても良い。
【００７７】
（実施の形態２）
図９は、本発明の実施の形態２に係るハンドオーバ方法を示すシーケンス図である。なお、図９においては、図８と同一の手順については同一の符号を付して、その説明を省略する。また、実施の形態２においては、通信端末装置の構成は図４及び図６と同一構成であり、ハンドオーバ管理サーバの構成は図５と同一構成であるとともに、ネットワークの構成は図７と同一構成であるので、その説明は省略する。
【００７８】
本実施の形態２は、ハンドオーバ制御部３０３は、再度ハンドオーバすることを要求する際に、無線ＬＡＮシステムと移動体通信（セルラ）システムとの両方を用いる点を特徴とするものである。
【００７９】
切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。
【００８０】
次に、無線ＬＡＮによる通信が正常に行われ、ハンドオーバ部１０５の呼監視部３０１
は、ＶｏＩＰ呼制御部１０３がＢＹＥを受信したことを知る。
【００８１】
次に、呼監視部３０１は、回線交換呼制御部１０４がＣｏｎｎｅｃｔを受信していないために回線交換音声通話の呼が確立されていないことを知る。
【００８２】
次に、ハンドオーバ制御部３０３は、ＶｏＩＰ音声通話から回線交換音声通話にハンドオーバすることを要求するメッセージを作成する。この際、ハンドオーバ制御部３０３は、ＩＰネットワーク４０２を経由するＶｏＩＰ用の呼制御メッセージと回線交換ネットワーク４０３を経由する回線交換用の呼制御メッセージの両方を作成する。
【００８３】
次に、再度ハンドオーバを要求するメッセージとして、通信端末装置４０１の回線交換ＩＦ１０２は、回線交換ネットワーク４０３を経由する回線交換用の呼制御メッセージを送信するとともに（ステップＳＴ６０１）、通信端末装置４０１の無線ＬＡＮ  ＩＦ１０１は、ＩＰネットワーク４０２を経由するＶｏＩＰ用の呼制御メッセージを送信する（ステップＳＴ６０２）。
【００８４】
次に、ハンドオーバ管理サーバ４１１のハンドオーバ統合管理部２０４は、ハンドオーバ元呼制御部２０２がＢＹＢを送信したことを知る。そして、ハンドオーバ統合管理部２０４は、ハンドオーバ元呼制御部２０２がハンドオーバ元の呼を確立している状態において、ハンドオーバを要求するメッセージを受け取ると、ハンドオーバ先呼制御部２０３に対して、接続通知用のメッセージである２００  ＯＫの送信を指示し、ハンドオーバ先呼制御部２０３は、接続通知用のメッセージである２００  ＯＫを送信する（ステップＳＴ５１１）。
【００８５】
このように、本実施の形態２によれば、上記実施の形態１の効果に加えて、再度のハンドオーバを要求する際に、ハンドオーバ先の回線交換ネットワーク４０３を経由する回線交換用の再度のハンドオーバを要求するメッセージと、ハンドオーバ元のＩＰネットワーク４０２を経由するＶｏＩＰ用の再度のハンドオーバを要求するメッセージの両方を送信することにより、ハンドオーバ先のネットワークが確立しなかったことを確実に通知することができるとともに、再度行うハンドオーバが成功する可能性を向上させることができる。
【００８６】
（実施の形態３）
図１０及び図１１は、本発明の実施の形態３に係るハンドオーバ方法を示すシーケンス図である。なお、図１０及び図１１においては、図８と同一の手順については同一の符号を付して、その説明を省略する。また、実施の形態３においては、通信端末装置の構成は図４及び図６と同一構成であり、ハンドオーバ管理サーバの構成は図５と同一構成であるとともに、ネットワークの構成は図７と同一構成であるので、その説明は省略する。
【００８７】
本実施の形態３は、所定時間内にハンドオーバ先の呼の確立を要求するメッセージを受け取れない場合に、再度のハンドオーバを要求する点を特徴とするものである。
【００８８】
最初に、通信端末装置４０１が遅れてＣｏｎｎｅｃｔを受信する場合について、図１０を用いて説明する。
【００８９】
切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。
【００９０】
次に、通信端末装置４０１は、ＢＹＥを受信し、ハンドオーバ部１０５のハンドオーバ
制御部３０３は、ＢＹＥを受信してから一定時間α（呼確立待ち時間）の間、回線交換呼制御部１０４がハンドオーバ先の呼の接続通知メッセージを受け取った旨の監視結果が呼監視部３０１から入力するのを待つ。
【００９１】
次に、通信端末装置４０１は、一定時間α内に、ハンドオーバ先の呼の接続通知メッセージであるとともに回線交換用の呼制御メッセージであるＣｏｎｎｅｃｔを受信する（ステップＳＴ７０１）。
【００９２】
次に、ハンドオーバ部１０５のハンドオーバ制御部３０３は、呼監視部３０１から、回線交換呼制御部１０４がＣｏｎｎｅｃｔを受け取った旨の監視結果が入力することにより、Ｃｏｎｎｅｃｔを受け取ったことを認識する。
【００９３】
次に、通信端末装置４０１は、Ｃｏｎｎｅｃｔに対する確認応答メッセージであるＣｏｎｎｅｃｔ  Ａｃｋを送信する（ステップＳＴ７０２）。
【００９４】
次に、通信端末装置４０１の無線ＬＡＮ  ＩＦ１０１は、ＶｏＩＰ用の呼制御メッセージであるＢＹＥに対する応答である２００  ＯＫを送信する（ステップＳＴ７０３）。
【００９５】
次に、ハンドオーバ管理サーバ４１１は、２００  ＯＫを受信し、ハンドオーバ管理サーバ４１１のハンドオーバ統合管理部２０４は、ステップＳＴ５０８でＢＹＥを送信してから所定時間β（β＞α）内に２００  ＯＫを受信したことを認識する。そして、ハンドオーバ管理サーバ４１１のハンドオーバ元呼制御部２０２は、ハンドオーバ元呼制御部２０２に対して、ＶｏＩＰ音声通話用の呼の切断を指示し、ハンドオーバ元呼制御部２０２は、ＶｏＩＰ音声通話用の呼の切断を行う。
【００９６】
通信端末装置のハンドオーバ部１０５が行う音声メディアの切り替え、即ちハンドオーバは、ネットワークと連動する必要はあるが、ステップＳＴ７０１でＣｏｎｎｅｃｔを受信してハンドオーバ先との呼が確立した後、ステップＳＴ７０３で２００  ＯＫを送信することによりハンドオーバ元との呼を切断するまでに行えばよい。
【００９７】
次に、通信端末装置４０１がＣｏｎｎｅｃｔを受信しなかった場合について、図１１を用いて説明する。
【００９８】
切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。
【００９９】
次に、通信端末装置４０１は、ＢＹＥを受信し、ハンドオーバ部１０５のハンドオーバ制御部３０３は、ＢＹＥを受信してから一定時間αの間、回線交換呼制御部１０４がハンドオーバ先の呼の接続通知メッセージを受け取った旨の監視結果が呼監視部３０１から入力するのを待つ。
【０１００】
そして、ハンドオーバ部１０５のハンドオーバ制御部３０３は、一定時間α内に、回線交換呼制御部１０４がハンドオーバ先の呼の接続通知メッセージであるＣｏｎｎｅｃｔを受け取っていないと認識し、ステップＳＴ５０９でＶｏＩＰ呼制御部１０３が受け取った切断要求メッセージであるＢＹＥを無効にして、再度ハンドオーバの指示メッセージを送信する（ステップＳＴ８０１）。
【０１０１】
このように、本実施の形態３によれば、上記実施の形態１の効果に加えて、一定時間αが経過するまでに接続通知メッセージを受信した場合はハンドオーバを行うので、ハンド
オーバ先の呼の接続通知メッセージを、ハンドオーバ元の呼の切断要求メッセージより後に受信した場合でもメディアの切り替えを行うことができる。また、本実施の形態３によれば、時間αを時間βより短くしているので、通信端末装置がハンドオーバ先との呼の確立に成功している場合に、ハンドオーバ管理サーバが誤ってハンドオーバ先に対する呼の確立を断念してしまうことを防止することができる。
【０１０２】
なお、本実施の形態３において、ハンドオーバ部１０５のハンドオーバ制御部３０３は、時間αを調整することによって、通話が不通になることを防止することができるとともに、ハンドオーバに要する時間を短縮することができる。また、本実施の形態３において、ハンドオーバ管理サーバ４１１のハンドオーバ統合管理部２０４は、β時間を調整することによって、通話が不通になることを防止することができる。例えば、通信端末装置のハンドオーバ部１０５は、時間α内にＣｏｎｎｅｃｔを受け取っていないと認識した場合に、音声メディアを受信しなくなることを検知することにより、既にＶｏＩＰ音声通話が切断されたと判断した場合は、α時間を短くする。一方、ハンドオーバ制御部３０３は、時間α経過直後にＣｏｎｎｅｃｔを受信するような場合に、時間αを長くする。また、本実施の形態３において、ハンドオーバ先の回線交換ネットワークを経由する回線交換用のメッセージを送信することによって再度のハンドオーバを要求したが、これに限らず、ハンドオーバ元のＩＰネットワークを経由するＶｏＩＰ用のメッセージを送信することによって再度のハンドオーバを要求しても良い。
【０１０３】
（実施の形態４）
図１２は、本発明の実施の形態４に係るハンドオーバ方法を示すシーケンス図である。なお、図１２においては、図８と同一の手順については同一の符号を付して、その説明を省略する。また、実施の形態４においては、通信端末装置の構成は図４及び図６と同一構成であり、ハンドオーバ管理サーバの構成は図５と同一構成であるとともに、ネットワークの構成は図７と同一構成であるので、その説明は省略する。
【０１０４】
本実施の形態４は、ハンドオーバ元との呼の切断の要求を受けた場合で且つハンドオーバ先との呼が確立していない場合に、ハンドオーバを中止する点を特徴とするものである。
【０１０５】
切断要求メッセージであるＢＹＥを受信したＳＩＰサーバ４０８は、無線ＬＡＮアクセスポイント４０７を介して、切断要求メッセージであるＢＹＥを送信する（ステップＳＴ５０９）。
【０１０６】
次に、無線ＬＡＮによる通信が正常に行われ、ハンドオーバ部１０５の呼監視部３０１は、ＶｏＩＰ呼制御部１０３がＢＹＥを受信したことを知る。
【０１０７】
次に、呼監視部３０１は、回線交換呼制御部１０４がＣｏｎｎｅｃｔを受信していないために回線交換音声通話の呼が確立されていないことを知る。
【０１０８】
次に、ハンドオーバ制御部３０３は、ＶｏＩＰ呼制御部１０３に対して、受信したＢＹＥを無効にすることを指示するとともに、ハンドオーバを中止するメッセージを作成する。
【０１０９】
次に、通信端末装置４０１の回線交換ＩＦ１０２は、ハンドオーバ制御部３０３が作成したハンドオーバを中止するメッセージを送信する（ステップＳＴ９０１）。
【０１１０】
次に、ハンドオーバ管理サーバ４１１は、ハンドオーバを中止するメッセージを受信し、ハンドオーバ統合管理部２０４は、ハンドオーバ元呼制御部２０２に対して、ハンドオ
ーバ元のＶｏＩＰの呼を切断しないように指示するとともに、ハンドオーバ先呼制御部２０３に対して、ハンドオーバ先との呼の確立を断念するように指示する。これにより、通信端末装置４０１は、ハンドオーバ元の呼を継続的に使用することが可能になる。
【０１１１】
このように、本実施の形態４によれば、ハンドオーバ元との呼の切断の要求を受けた場合で且つハンドオーバ先との呼が確立していない場合に、ハンドオーバ元との呼の切断の要求を無効にするとともに、ハンドオーバを中止するので、呼制御メッセージの欠落や、呼制御メッセージの追い越しが発生した場合でも、回線交換ネットワークの呼とＩＰネットワークの呼とが同時に切断されてしまうことを防止することができ、ネットワーク内のサーバ等の装置の負荷を増大させずにサービスを継続することができる。また、本実施の形態４によれば、無線通信端末がネットワーク内のサーバより早くメッセージの欠落、追い越しを検知できるようにすることによって、ネットワーク内のサーバが持っている状態と無線通信端末が持っている状態の不一致を防止することができる。
【０１１２】
なお、本実施の形態４において、ハンドオーバ先の回線交換ネットワークを経由する回線交換用のメッセージを送信することによってハンドオーバの中止することにしたが、これに限らず、ハンドオーバ元のＩＰネットワークを経由するＶｏＩＰ用のメッセージを送信することによってハンドオーバの中止をするようにしても良い。
【０１１３】
上記実施の形態１〜実施の形態４において、ＳＩＰによるＶｏＩＰ通話から回線交換による音声通話へハンドオーバする場合について説明したが、これに限らず、回線交換による音声通話からＳＩＰによるＶｏＩＰ通話へハンドオーバする場合、及び異なる呼制御を行う網にハンドオーバをするようなサービスに適用しても良く、パケットロス等が発生した場合においてもハンドオーバが可能になる。また、上記実施の形態１〜実施の形態４において、通信端末装置は、再度のハンドオーバの要求に対してもＣｏｎｎｅｃｔを受信しない場合で且つＢＹＥを受信する場合には、更に再度のハンドオーバの要求を行っても良いし、再度のハンドオーバの要求を複数回数繰り返したにも関わらずＣｏｎｎｅｃｔを受信しない場合に、ハンドオーバを中止するようにしても良い。
【産業上の利用可能性】
【０１１４】
本発明にかかる通信端末装置、ネットワークシステム及びハンドオーバ方法は、異なる通信方式を持つネットワークに接続して異なる通信方式を持つネットワーク間でハンドオーバするのに好適である。
【図面の簡単な説明】
【００１６】
【図１】従来のハンドオーバ方式を示すシーケンス図
【図２】従来のハンドオーバ方式を示すシーケンス図
【図３】従来のハンドオーバ方式を示すシーケンス図
【図４】本発明の実施の形態１に係る通信端末装置の構成を示すブロック図
【図５】本発明の実施の形態１に係るハンドオーバ管理サーバの構成を示すブロック図
【図６】本発明の実施の形態１に係るハンドオーバ部の構成を示すブロック図
【図７】本発明の実施の形態１に係るネットワークの構成を示す図
【図８】本発明の実施の形態１に係るハンドオーバ方法を示すシーケンス図
【図９】本発明の実施の形態２に係るハンドオーバ方法を示すシーケンス図
【図１０】本発明の実施の形態３に係るハンドオーバ方法を示すシーケンス図
【図１１】本発明の実施の形態３に係るハンドオーバ方法を示すシーケンス図
【図１２】本発明の実施の形態４に係るハンドオーバ方法を示すシーケンス図
【手続補正３】
【補正対象書類名】図面
【補正対象項目名】全図
【補正方法】変更
【補正の内容】
【図１】
2008029441.tif 000015
【図２】
2008029441.tif 000016
【図３】
2008029441.tif 000017
【図４】
2008029441.tif 000018
【図５】
2008029441.tif 000019
【図６】
2008029441.tif 000020
【図７】
2008029441.tif 000021
【図８】
2008029441.tif 000022
【図９】
2008029441.tif 000023
【図１０】
2008029441.tif 000024
【図１１】
2008029441.tif 000025
【図１２】
2008029441.tif 000026
【国際調査報告】
2008029441.tif 000027
2008029441.tif 000028
2008029441.tif 000029